(57)【要約】【解決手段】本開示は、ユーザが、電子リーダー、タブレットコンピュータ装置、携帯電話、パーソナルデジタルアシスタント及び一般的なクリップボードのような個人用手持ち式タブレット型装置を確実に保持し、ユーザの手の疲労及び不快感を最小限度に抑えることをより容易にする保持装置に関する。本開示の典型的な実施形態は、織物又は可撓性材料（例えば、ポリプロピレン、ナイロン、ネオプレン、布、ビニール、ゴム、エラストマー材料など）から形成された１又は複数のフィンガーグリップ部材を有しており、個人用手持ち式タブレット型装置の裏側に配置されたシステムを提供することにより、この課題を解決する。多くの実施形態において、フィンガーグリップ部材の位置及び適合性は、フック・ループ手段を用いてユーザにより容易に調整され得る。
2014517942.tif 000002
【特許請求の範囲】
【請求項１】
その裏面に略平坦な部分を有する個人用タブレット型装置を、ユーザの手に確実に保持させるための装置であって、
前記個人用タブレット型装置の略平坦な裏面に取り付けられるように構成されているバックパネル連結部材と、
前記バックパネル連結部材に着脱可能に連結されるように構成されている少なくとも１つのフィンガーグリップ部材と
を備えており、
前記少なくとも１つのフィンガーグリップ部材は、前記個人用タブレット型装置の略平坦な裏面に関するユーザ指定の方向に、前記バックパネル連結部材に着脱可能に連結され得ることを特徴とする装置。
【請求項２】
前記バックパネル連結部材と前記少なくとも１つのフィンガーグリップ部材との着脱可能な連結は、フック・ループ連結、機械的なスナップ連結、及び磁気連結からなる群から選択されることを特徴とする請求項１に記載の装置。
【請求項３】
前記バックパネル連結部材と前記少なくとも１つのフィンガーグリップ部材との着脱可能な連結は、フック・ループ連結であり、
前記バックパネル連結部材の着脱可能な連結表面は、前記フック・ループ連結のループ部分であり、
前記少なくとも１つのフィンガーグリップ部材の着脱可能な連結表面は、前記フック・ループ連結のフック部分であることを特徴とする請求項２に記載の装置。
【請求項４】
前記バックパネル連結部材は、前記フック・ループ連結のループ部分として機能することができる複数のマットから構成されていることを特徴とする請求項３に記載の装置。
【請求項５】
前記バックパネル連結部材と前記少なくとも１つのフィンガーグリップ部材との着脱可能な連結は、フック・ループ連結であり、
前記バックパネル連結部材の着脱可能な連結表面は、前記フック・ループ連結のフック部分であり、
前記少なくとも１つのフィンガーグリップ部材の着脱可能な連結表面は、前記フック・ループ連結のループ部分であることを特徴とする請求項２に記載の装置。
【請求項６】
前記バックパネル連結部材は、前記フック・ループ連結のフック部分として機能することができる複数のマットから構成されていることを特徴とする請求項５に記載の装置。
【請求項７】
前記少なくとも１つのフィンガーグリップ部材は、ユーザの手の１又は複数の指に嵌まるように成してある少なくとも１つの環状の穴を有しており、
前記少なくとも１つの環状の穴は、前記少なくとも１つの環状の穴の長手軸が前記個人用タブレット型装置の略平坦な裏面に略平行であるように設けられており、
嵌まることによって、ユーザが、意識的に前記個人用タブレット型装置を把持する必要なしに、前記個人用タブレット型装置を確実に保持することを可能にすることを特徴とする請求項１に記載の装置。
【請求項８】
前記環状の穴は、ユーザの１本の指のみを受け入れるように成してあることを特徴とする請求項７に記載の装置。
【請求項９】
前記少なくとも１つのフィンガーグリップ部材は、ユーザの指に調節可能に合わせられるように成してある少なくとも１つの環状の穴を有していることを特徴とする請求項７に記載の装置。
【請求項１０】
前記少なくとも１つのフィンガーグリップ部材の環状の穴は、材料ストラップによって画定され、前記材料ストラップは、該材料ストラップにあるポイントで前記フィンガーグリップ部材に固定して連結され、
前記材料ストラップは、一側にフック・ループ連結のフック部分を有しており、他側にフック・ループ連結のループ部分を有しており、
前記材料ストラップのループ部分の一部を前記材料ストラップのフック部分の一部に着脱可能に連結することにより、前記材料ストラップは、サイズが可変な穴に形成され得ることを特徴とする請求項９に記載の装置。
【請求項１１】
前記少なくとも１つの環状の穴は、弾性材料から略構成されていることを特徴とする請求項７に記載の装置。
【請求項１２】
ユーザが、電子リーダー、携帯電話、タブレットコンピュータ、パーソナルデータアシスタント及びクリップボードからなる群から選択される個人用タブレット型装置を保持するように成してあることを特徴とする請求項１に記載の装置。
【請求項１３】
ユーザが、保護カバー内に少なくとも部分的に包まれた個人用タブレット型装置を保持するように成してあることを特徴とする請求項１に記載の装置。
【請求項１４】
前記保護カバーは、プラスチック、ゴム、及びシリコーンからなる群から選択される材料から略構成されていることを特徴とする請求項１３に記載の装置。
【請求項１５】
前記個人用タブレット型装置を略包むように成してある保護カバーの構造に組み込まれることにより、前記バックパネル連結部材は、前記個人用タブレット型装置の略平坦な裏面に取り付けられるように構成されていることを特徴とする請求項１に記載の装置。
【請求項１６】
その裏面に略平坦な部分を有する個人用タブレット型装置をユーザの手に確実に保持させるための装置の製造方法であって、
前記個人用タブレット型装置の略平坦な裏面に取り付けられるように構成されているバックパネル連結部材を準備するステップと、
前記バックパネル連結部材に着脱可能に連結されるように構成されている少なくとも１つのフィンガーグリップ部材を準備するステップと
を有し、
前記少なくとも１つのフィンガーグリップ部材は、前記個人用タブレット型装置の略平坦な裏面に関するユーザ指定の方向に、前記バックパネル連結部材に着脱可能に連結され得ることを特徴とする方法。
【請求項１７】
前記バックパネル連結部材と前記少なくとも１つのフィンガーグリップ部材との着脱可能な連結は、フック・ループ連結、機械的なスナップ連結及び磁気連結からなる群から選択されることを特徴とする請求項１６に記載の方法。
【請求項１８】
前記バックパネル連結部材と前記少なくとも１つのフィンガーグリップ部材との着脱可能な連結は、フック・ループ連結であり、
前記バックパネル連結部材の着脱可能な連結表面は、前記フック・ループ連結のループ部分であり、
前記少なくとも１つのフィンガーグリップ部材の着脱可能な連結表面は、前記フック・ループ連結のフック部分であることを特徴とする請求項１７に記載の方法。
【請求項１９】
前記バックパネル連結部材は、前記フック・ループ連結のフック部分として機能することができる複数のマットから構成されていることを特徴とする請求項１８に記載の方法。
【請求項２０】
前記バックパネル連結部材と前記少なくとも１つのフィンガーグリップ部材との着脱可能な連結は、フック・ループ連結であり、
前記バックパネル連結部材の着脱可能な連結表面は、前記フック・ループ連結のフック部分であり、
前記少なくとも１つのフィンガーグリップ部材の着脱可能な連結表面は、前記フック・ループ連結のループ部分であることを特徴とする請求項１７に記載の方法。
【請求項２１】
前記バックパネル連結部材は、前記フック・ループ連結のフック部分として機能することができる複数のマットから構成されていることを特徴とする請求項２０に記載の方法。
【請求項２２】
前記少なくとも１つのフィンガーグリップ部材は、ユーザの手の１又は複数の指に嵌まるように成してある少なくとも１つの環状の穴を有しており、
前記少なくとも１つの環状の穴は、前記少なくとも１つの環状の穴の長手軸が前記個人用タブレット型装置の前記略平坦な裏面に略平行であるように設けられ、
嵌まることによって、ユーザが、意識的に前記個人用タブレット型装置を把持する必要なしに、前記個人用タブレット型装置を確実に保持することを可能にすることを特徴とする請求項１６に記載の方法。
【請求項２３】
前記環状の穴は、ユーザの１本の指のみを受け入れるように成してあることを特徴とする請求項２２に記載の方法。
【請求項２４】
前記少なくとも１つのフィンガーグリップ部材は、ユーザの指に調節可能に合わせられるように成してある少なくとも１つの環状の穴を有していることを特徴とする請求項２２に記載の方法。
【請求項２５】
前記少なくとも１つのフィンガーグリップ部材の環状の穴は、材料ストラップによって画定され、前記材料ストラップは該材料ストラップにあるポイントで前記フィンガーグリップ部材に固定して連結され、
前記材料ストラップは、一側にフック・ループ連結のフック部分を有しており、他側にフック・ループ連結のループ部分を有しており、
前記材料ストラップのループ部分の一部を前記材料ストラップのフック部分の一部に着脱可能に連結することにより、前記材料ストラップは、サイズが可変な穴に形成され得ることを特徴とする請求項２４に記載の方法。
【請求項２６】
前記少なくとも１つの環状の穴は、弾性材料から略構成されていることを特徴とする請求項２２に記載の方法。
【請求項２７】
前記装置は、電子リーダー、携帯電話、タブレットコンピュータ、パーソナルデータアシスタント及びクリップボードからなる群から選択される個人用タブレット型装置をユーザが保持するように成してあることを特徴とする請求項１６に記載の方法。
【請求項２８】
前記装置は、ユーザが、保護カバー内に少なくとも部分に包まれた個人用タブレット型装置を保持するように成してあることを特徴とする請求項１６に記載の方法。
【請求項２９】
前記保護カバーは、プラスチック、ゴム、及びシリコーンからなる群から選択される材料から略構成されていることを特徴とする請求項２８に記載の方法。
【請求項３０】
前記個人用タブレット型装置を略包むように成してある保護カバーの構造に組み込まれることにより、前記バックパネル連結部材は、前記個人用タブレット型装置の略平坦な裏面に取り付けられるように構成されていることを特徴とする請求項１６に記載の方法。
【請求項３１】
個人用タブレット型装置をユーザの手で使用する方法であって、
個人用タブレット型装置をユーザの手に確実に保持させるための請求項７に記載の装置を備えた前記個人用タブレット型装置を取得するステップと、
ユーザの手の少なくとも１本の指を、前記少なくとも１つのフィンガーグリップ部材に設けられた少なくとも１つの環状の穴に挿入するステップと、
ユーザの対向している親指で前記個人用タブレット型装置を把持する必要なしに、前記個人用タブレット型装置を保持するステップと
を有することを特徴とする方法。
【請求項３２】
ユーザの好みに応じて前記バックパネル連結部材の配置を調整するステップを更に有することを特徴とする請求項３１に記載の方法。
【請求項３３】
ユーザの手の少なくとも１本の指を挿入する前記ステップは、第１のフィンガーグリップ部材に挿入されるようにユーザの右手に適用され、第２のフィンガーグリップ部材に挿入されるようにユーザの左手に適用されることを特徴とする請求項３１に記載の方法。
【請求項３４】
挿入する前記ステップの前に、ユーザの好み及び快適さに応じて前記バックパネル連結部材上の前記少なくとも１つのフィンガーグリップ部材の位置を調整するステップを更に有することを特徴とする請求項３１に記載の方法。
【請求項３５】
前記装置は、請求項９に記載の特徴を更に有しており、
前記方法は、前記少なくとも１つのフィンガーグリップ部材の環状の穴のユーザの少なくとも１本の指への適合性を調整するステップを更に有することを特徴とする請求項３１に記載の方法。
【請求項３６】
前記個人用タブレット型装置は、電子リーダー、携帯電話、タブレットコンピュータ、パーソナルデータアシスタント及びクリップボードからなる群から選択されることを特徴とする請求項３１に記載の方法。
【請求項３７】
その裏面に略平坦な部分を有する個人用タブレット型装置を、ユーザの手に確実に保持させる装置を組み立てるためのキットであって、
ユーザ選択の個人用タブレット型装置の略平坦な裏面に取り付けられるバックパネル連結部材を組み立てるための複数の様々なサイズ及び形状のマットと、
前記ユーザ選択の個人用タブレット型装置に取り付けられたバックパネル連結部材に着脱可能に連結されるように成してある複数のフィンガーグリップ部材と
を備えており、
前記マットは、
前記ユーザ選択の個人用タブレット型装置の略平坦な裏面に接着取付され得る第１の側と、
少なくとも１つのフィンガーグリップ部材に着脱可能に連結されるように成してある第２の側と
を有しており、
前記マットの様々なサイズ及び形状の多様性により、前記マットのサブセットがユーザにより前記ユーザ選択の個人用タブレット型装置の略平坦な裏面に組み立てられて取り付けられることができ、前記少なくとも１つのフィンガーグリップ部材のための効果的な連結表面が与えられ、
前記複数のフィンガーグリップ部材は、ユーザが前記バックパネル連結部材に取り付けるために１又は複数の適切なサイズのフィンガーグリップ部材を選択できるように、様々なサイズで備えられており、
前記複数のフィンガーグリップ部材の夫々は、ユーザ選択の個人用タブレット型装置の略平坦な裏面に関するユーザ指定の方向に、前記バックパネル連結部材に着脱可能に連結されるように成してあることを特徴とするキット。
【請求項３８】
組み立てられて取り付けられたバックパネル連結部材とユーザ選択のフィンガーグリップ部材との着脱可能な連結は、フック・ループ連結、機械的なスナップ連結及び磁気連結からなる群から選択されることを特徴とする請求項３７に記載のキット。
【請求項３９】
組み立てられて取り付けられたバックパネル連結部材とユーザ選択のフィンガーグリップ部材との着脱可能な連結は、フック・ループ連結であり、
組み立てられて取り付けられたバックパネル連結部材の着脱可能な連結表面は、フック・ループ連結のループ部分であり、
前記ユーザ選択のフィンガーグリップ部材の着脱可能な連結表面は、フック・ループ連結のフック部分であることを特徴とする請求項３８に記載のキット。
【請求項４０】
組み立てられて取り付けられたバックパネル連結部材とユーザ選択のフィンガーグリップ部材との着脱可能な連結は、フック・ループ連結であり、
組み立てられて取り付けられたバックパネル連結部材の着脱可能な連結表面は、フック・ループ連結のフック部分であり、
前記ユーザ選択のフィンガーグリップ部材の着脱可能な連結表面は、フック・ループ連結のループ部分であることを特徴とする請求項３８に記載のキット。
【請求項４１】
前記複数のフィンガーグリップ部材の夫々は、ユーザの手の１又は複数の指に嵌まるように成してある少なくとも１つの環状の穴を有しており、
ユーザ選択のフィンガーグリップ部材が、ユーザ選択の個人用タブレット型装置に組み立てられて取り付けられたバックパネル連結部材に取り付けられるとき、前記ユーザ選択のフィンガーグリップ部材の前記少なくとも１つの環状の穴は、該少なくとも１つの環状の穴の長手軸がユーザ選択の個人用タブレット型装置の略平坦な裏面に略平行であるように設けられており、
嵌まることによって、ユーザが、意識的に前記個人用タブレット型装置を把持する必要なしに、前記個人用タブレット型装置を確実に保持することを可能にすることを特徴とする請求項３７に記載のキット。
【請求項４２】
前記環状の穴は、ユーザの１本の指のみを受け入れるように成してあることを特徴とする請求項４１に記載のキット。
【請求項４３】
前記複数のフィンガーグリップ部材の夫々は、ユーザの指に調節可能に合わせられるように成してある少なくとも１つの環状の穴を有していることを特徴とする請求項４１に記載のキット。
【請求項４４】
前記複数のフィンガーグリップ部材の夫々の前記少なくとも１つの環状の穴は、材料ストラップによって画定され、前記材料ストラップは、該材料ストラップにあるポイントで前記フィンガーグリップ部材に固定して連結され、
前記材料ストラップは、一側にフック・ループ連結のフック部分を有しており、他側にフック・ループ連結のループ部分を有しており、
前記材料ストラップのループ部分の一部を前記材料ストラップのフック部分の一部に着脱可能に連結することにより、前記材料ストラップは、サイズが可変な穴に形成され得ることを特徴とする請求項４３に記載のキット。
【請求項４５】
前記少なくとも１つの環状の穴は、弾性材料から略構成されていることを特徴とする請求項４３に記載のキット。
【請求項４６】
ユーザが、電子リーダー、携帯電話、タブレットコンピュータ、パーソナルデータアシスタント及びクリップボードからなる群から選択される複数の様々なサイズの個人用タブレット型装置に保持装置を組み立てて取り付けるように成してあることを特徴とする請求項３７に記載のキット。
【請求項４７】
保護カバー内に少なくとも部分に包まれた個人用タブレット型装置をユーザが把持するための装置の組み立てを容易にするように成してあることを特徴とする請求項３７に記載のキット。
【請求項４８】
前記保護カバーは、プラスチック、ゴム、及びシリコーンからなる群から選択される材料から略構成されていることを特徴とする請求項４７に記載のキット。
【請求項４９】
前記個人用タブレット型装置を略包むように成してある保護カバーの構造に組み込まれることにより、前記バックパネル連結部材を構成する前記マットは、前記個人用タブレット型装置の略平坦な裏面に取り付けられるように構成されていることを特徴とする請求項３７に記載のキット。
【請求項５０】
その裏面に略平坦な部分を有する個人用タブレット型装置をユーザの手に確実に保持させる装置を組み立てるためのキットの製造方法であって、
ユーザ選択の個人用タブレット型装置の略平坦な裏面に取り付けられるバックパネル連結部材を組み立てるための複数の様々なサイズ及び形状のマットを準備するステップと、
前記ユーザ選択の個人用タブレット型装置に取り付けられたバックパネル連結部材に着脱可能に連結されるように成してある複数のフィンガーグリップ部材を準備するステップと
を有し、前記マットは、
前記ユーザ選択の個人用タブレット型装置の略平坦な裏面に接着取付され得る第１の側と、
少なくとも１つのフィンガーグリップ部材に着脱可能に連結されるように成してある第２の側と
を有しており、
前記マットのサイズ及び形状の多様性により、前記マットのサブセットがユーザにより前記ユーザ選択の個人用タブレット型装置の略平坦な裏面に組み立てられて取り付けられることができ、前記少なくとも１つのフィンガーグリップ部材のための効果的な連結表面が与えられ、
前記複数のフィンガーグリップ部材は、ユーザが前記バックパネル連結部材に取り付けるために１又は複数の適切なサイズのフィンガーグリップ部材を選択できるように、様々なサイズで備えられており、
前記複数のフィンガーグリップ部材の夫々は、ユーザ選択の個人用タブレット型装置の略平坦な裏面に関するユーザ指定の方向に、前記バックパネル連結部材に着脱可能に連結されるように成してあることを特徴とする方法。
【請求項５１】
組み立てられて取り付けられたバックパネル連結部材とユーザ選択のフィンガーグリップ部材との着脱可能な連結は、フック・ループ連結、機械的なスナップ連結、及び磁気連結からなる群から選択されることを特徴とする請求項５０に記載の方法。
【請求項５２】
組み立てられて取り付けられたバックパネル連結部材とユーザ選択のフィンガーグリップ部材との着脱可能な連結は、フック・ループ連結であり、
組み立てられて取り付けられたバックパネル連結部材の着脱可能な連結表面は、フック・ループ連結のループ部分であり、
前記ユーザ選択のフィンガーグリップ部材の着脱可能な連結表面は、フック・ループ連結のフック部分であることを特徴とする請求項５１に記載の方法。
【請求項５３】
組み立てられて取り付けられたバックパネル連結部材とユーザ選択のフィンガーグリップ部材との着脱可能な連結は、フック・ループ連結であり、
組み立てられて取り付けられたバックパネル連結部材の着脱可能な連結表面は、フック・ループ連結のフック部分であり、
前記ユーザ選択のフィンガーグリップ部材の着脱可能な連結表面は、フック・ループ連結のループ部分であることを特徴とする請求項５１に記載の方法。
【請求項５４】
前記複数のフィンガーグリップ部材の夫々は、ユーザの手の１又は複数の指に嵌まるように成してある少なくとも１つの環状の穴を有しており、
ユーザ選択のフィンガーグリップ部材が、ユーザ選択の個人用タブレット型装置に組み立てられて取り付けられた前記バックパネル連結部材に取り付けられるとき、ユーザ選択のフィンガーグリップ部材の前記少なくとも１つの環状の穴は、該少なくとも１つの環状の穴の長手軸がユーザ選択の前記個人用タブレット型装置の略平坦な裏面に略平行であるように設けられ、
嵌まることによって、ユーザが、意識的に前記個人用タブレット型装置を把持する必要なしに、前記個人用タブレット型装置を確実に保持することを可能にすることを特徴とする請求項５０に記載の方法。
【請求項５５】
各環状の穴は、ユーザの１本の指のみを受け入れるように成してあることを特徴とする請求項５４に記載の方法。
【請求項５６】
前記複数のフィンガーグリップ部材の夫々は、ユーザの指に調節可能に合わせられるように成してある少なくとも１つの環状の穴を有していることを特徴とする請求項５４に記載の方法。
【請求項５７】
前記複数のフィンガーグリップ部材の夫々の前記少なくとも１つの環状の穴は、材料ストラップによって画定され、前記材料ストラップは、該材料ストラップにあるポイントで前記フィンガーグリップ部材に固定して連結され、
前記材料ストラップは、一側にフック・ループ連結のフック部分を有し、他側にフック・ループ連結のループ部分を有しており、
前記材料ストラップのループ部分の一部を前記材料ストラップのフック部分の一部に着脱可能に連結することにより、前記材料ストラップは、サイズが可変な穴に形成され得ることを特徴とする請求項５６に記載の方法。
【請求項５８】
前記少なくとも１つの環状の穴は、弾性材料から略構成されていることを特徴とする請求項５６に記載の方法。
【請求項５９】
前記キットは、電子リーダー、携帯電話、タブレットコンピュータ、パーソナルデータアシスタント及びクリップボードからなる群から選択される複数の様々なサイズの個人用タブレット型装置にユーザが保持装置を組み立てて取り付けるように成してあることを特徴とする請求項５０に記載の方法。
【請求項６０】
前記キットは、保護カバー内に少なくとも部分的に包まれた個人用タブレット型装置をユーザが保持するための装置の組み立てを容易にするように成してあることを特徴とする請求項５０に記載の方法。
【請求項６１】
前記保護カバーは、プラスチック、ゴム、及びシリコーンからなる群から選択される材料から略構成されていることを特徴とする請求項６０に記載の方法。
【請求項６２】
個人用タブレット型装置を略包むように成してある保護カバーの構造に組み込まれることにより、前記バックパネル連結部材を構成する前記マットは、前記個人用タブレット型装置の略平坦な裏面に取り付けられるように構成されていることを特徴とする請求項５０に記載の方法。
【請求項６３】
個人用タブレット型装置をユーザの手に確実に保持させる装置を組み立てるためのキットの使用方法であって、
請求項４１に記載のキットを取得するステップと、
前記保持装置を取り付ける対象の個人用タブレット型装置を決定するステップと、
前記対象の個人用タブレット型装置のバックパネルに固定すべく、適合したサイズ及び形状の少なくとも１つの前記マットを選択し、その後前記少なくとも１つのマットを前記バックパネルに固定するステップと、
指を受け入れるためのユーザ指定数の穴を有しており、取り付けられたマットに効果的に着脱可能に連結するための、適合したサイズを有する少なくとも１つのフィンガーグリップ部材を選択するステップと、
前記対象の個人用タブレット型装置の略平坦な裏面に関するユーザ指定の方向に、取り付けられた前記マットに前記少なくとも１つのフィンガーグリップ部材を連結するステップと、
ユーザの手の少なくとも１本の指をユーザ選択の少なくとも１つのフィンガーグリップ部材の穴に挿入するステップと、
ユーザの対向している親指で前記対象の個人用タブレット型装置を把持する必要なしに、前記対象の個人用タブレット型装置を保持するステップと
を有することを特徴とする方法。
【請求項６４】
前記対象の個人用タブレット型装置は、電子リーダー、携帯電話、タブレットコンピュータ、パーソナルデータアシスタント及びクリップボードからなる群から選択されることを特徴とする請求項６３に記載の方法。
【請求項６５】
保持が強化された個人用タブレット型装置であって、
その裏面に略平坦な部分を有する個人用タブレット型装置と、
前記個人用タブレット型装置の略平坦な裏面に取り付けられたバックパネル連結部材と、
前記バックパネル連結部材に着脱可能に連結された少なくとも１つのフィンガーグリップ部材と
を備えており、
前記少なくとも１つのフィンガーグリップ部材は、前記個人用タブレット型装置の略平坦な裏面に関するユーザ指定の方向に、前記バックパネル連結部材に着脱可能に連結され得ることを特徴とする装置。
【請求項６６】
前記バックパネル連結部材と前記少なくとも１つのフィンガーグリップ部材との着脱可能な連結は、フック・ループ連結、機械的なスナップ連結、及び磁気連結からなる群から選択されることを特徴とする請求項６５に記載の装置。
【請求項６７】
前記バックパネル連結部材と前記少なくとも１つのフィンガーグリップ部材との着脱可能な連結は、フック・ループ連結であり、
前記バックパネル連結部材の着脱可能な連結表面は、前記フック・ループ連結のループ部分であり、
前記少なくとも１つのフィンガーグリップ部材の着脱可能な連結表面は、前記フック・ループ連結のフック部分であることを特徴とする請求項６６に記載の装置。
【請求項６８】
前記バックパネル連結部材は、前記フック・ループ連結のループ部分として機能することができる複数のマットから構成されていることを特徴とする請求項６７に記載の装置。
【請求項６９】
前記バックパネル連結部材と前記少なくとも１つのフィンガーグリップ部材との着脱可能な連結は、フック・ループ連結であり、
前記バックパネル連結部材の着脱可能な連結表面は、前記フック・ループ連結のフック部分であり、
前記少なくとも１つのフィンガーグリップ部材の着脱可能な連結表面は、前記フック・ループ連結のループ部分であることを特徴とする請求項６６に記載の装置。
【請求項７０】
前記バックパネル連結部材は、前記フック・ループ連結のフック部分として機能することができる複数のマットから構成されていることを特徴とする請求項６９に記載の装置。
【請求項７１】
前記少なくとも１つのフィンガーグリップ部材は、ユーザの手の１又は複数の指に嵌まるように成してある少なくとも１つの環状の穴を有しており、
前記少なくとも１つの環状の穴は、該少なくとも１つの環状の穴の長手軸が前記個人用タブレット型装置の略平坦な裏面に略平行であるように設けられており、
嵌まることによって、ユーザが、意識的に前記個人用タブレット型装置を把持する必要なしに、前記個人用タブレット型装置を確実に保持することを可能にすることを特徴とする請求項６５に記載の装置。
【請求項７２】
各環状の穴は、ユーザの１本の指のみを受け入れるように成してあることを特徴とする請求項７１に記載の装置。
【請求項７３】
前記少なくとも１つのフィンガーグリップ部材は、ユーザの指に調節可能に合わせられるように成してある少なくとも１つの環状の穴を有していることを特徴とする請求項７１に記載の装置。
【請求項７４】
前記少なくとも１つのフィンガーグリップ部の環状の穴は、材料ストラップによって画定され、前記材料ストラップは、該材料ストラップにあるポイントで前記フィンガーグリップ部材に固定して連結され、
前記材料ストラップは、一側にフック・ループ連結のフック部分を有しており、他側にフック・ループ連結のループ部分を有しており、
前記材料ストラップのループ部分の一部を前記材料ストラップのフック部分の一部に着脱可能に連結することにより、前記材料ストラップは、サイズが可変な穴に形成され得ることを特徴とする請求項７３に記載の装置。
【請求項７５】
前記少なくとも１つの環状の穴は、弾性材料から略構成されていることを特徴とする請求項７１に記載の装置。
【請求項７６】
前記個人用タブレット型装置は、電子リーダー、携帯電話、タブレットコンピュータ、パーソナルデータアシスタント及びクリップボードからなる群から選択されることを特徴とする請求項７５に記載の装置。
【請求項７７】
前記個人用タブレット型装置は、保護カバー内に少なくとも部分的に包まれており、前記保護カバーは前記個人用タブレット型装置の裏面の略平坦な部分を包んでいることを特徴とする請求項６５に記載の装置。
【請求項７８】
前記保護カバーは、プラスチック、ゴム、及びシリコーンからなる群から選択される材料から略構成されていることを特徴とする請求項７７に記載の装置。
【請求項７９】
個人用タブレット型装置を略包むように成してある保護カバーの構造に組み込まれることにより、前記バックパネル連結部材は、前記個人用タブレット型装置の略平坦な裏面に取り付けられるように構成されていることを特徴とする請求項６５に記載の装置。
【請求項８０】
保持が強化された個人用タブレット型装置の製造方法であって、
その裏面に略平坦な部分を有する個人用タブレット型装置を準備するステップと、
前記個人用タブレット型装置の略平坦な裏面に取り付けられるように構成されているバックパネル連結部材を準備するステップと、
前記バックパネル連結部材に着脱可能に連結するように構成されている少なくとも１つのフィンガーグリップ部材を準備するステップと
を有し、
前記個人用タブレット型装置の略平坦な裏面に関するユーザ指定の方向に、前記少なくとも１つのフィンガーグリップ部材が前記バックパネル連結部材に着脱可能に連結され得ることを特徴とする方法。
【請求項８１】
前記バックパネル連結部材と前記少なくとも１つのフィンガーグリップ部材との着脱可能な連結は、フック・ループ連結、機械的なスナップ連結、及び磁気連結からなる群から選択されることを特徴とする請求項８０に記載の方法。
【請求項８２】
前記バックパネル連結部材と前記少なくとも１つのフィンガーグリップ部材との着脱可能な連結は、フック・ループ連結であり、
前記バックパネル連結部材の着脱可能な連結表面は、前記フック・ループ連結のループ部分であり、
前記少なくとも１つのフィンガーグリップ部材の着脱可能な連結表面は、前記フック・ループ連結のフック部分であることを特徴とする請求項８１に記載の方法。
【請求項８３】
前記バックパネル連結部材は、前記フック・ループ連結のループ部分として機能することができる複数のマットから構成されていることを特徴とする請求項８２に記載の方法。
【請求項８４】
前記バックパネル連結部材と前記少なくとも１つのフィンガーグリップ部材との着脱可能な連結は、フック・ループ連結であり、
前記バックパネル連結部材の着脱可能な連結表面は、前記フック・ループ連結のループ部分であり、
前記少なくとも１つのフィンガーグリップ部材の着脱可能な連結表面は、前記フック・ループ連結のフック部分であることを特徴とする請求項８１に記載の方法。
【請求項８５】
前記バックパネル連結部材は、前記フック・ループ連結のフック部分として機能することができる複数のマットから構成されていることを特徴とする請求項８４に記載の方法。
【請求項８６】
前記少なくとも１つのフィンガーグリップ部材は、ユーザの手の１又は複数の指に嵌まるように成してある少なくとも１つの環状の穴を有しており、
前記少なくとも１つの環状の穴は、該少なくとも１つの環状の穴の長手軸が前記個人用タブレット型装置の略平坦な裏面に略平行であるように設けられ、
嵌まることによって、ユーザが、意識的に前記個人用タブレット型装置を把持する必要なしに、前記個人用タブレット型装置を確実に保持することを可能にすることを特徴とする請求項８０に記載の方法。
【請求項８７】
前記環状の穴は、ユーザの１本の指のみを受け入れるように成してあることを特徴とする請求項８６に記載の方法。
【請求項８８】
前記少なくとも１つのフィンガーグリップ部材は、ユーザの指に調節可能に合わせられるように成してある少なくとも１つの環状の穴を有していることを特徴とする請求項８６に記載の方法。
【請求項８９】
前記少なくとも１つのフィンガーグリップ部の環状の穴は、材料ストラップによって画定され、前記材料ストラップは、該材料ストラップにあるポイントで前記フィンガーグリップ部材に固定して連結され、
前記材料ストラップは、一側にフック・ループ連結のフック部分を有しており、他側にフック・ループ連結のループ部分を有しており、
前記材料ストラップのループ部分の一部を前記材料ストラップのフック部分の一部に着脱可能に連結することにより、前記材料ストラップは、サイズが可変な穴に形成され得ることを特徴とする請求項８８に記載の方法。
【請求項９０】
前記少なくとも１つの環状の穴は、弾性材料から略構成されていることを特徴とする請求項８６に記載の方法。
【請求項９１】
前記個人用タブレット型装置は、電子リーダー、携帯電話、タブレットコンピュータ、パーソナルデータアシスタント及びクリップボードからなる群から選択されることを特徴とする請求項８０に記載の方法。
【請求項９２】
前記個人用タブレット型装置は、保護カバー内に少なくとも部分的に包まれており、前記保護カバーは前記個人用タブレット型装置の裏面の略平坦な部分を包んでいることを特徴とする請求項８０に記載の方法。
【請求項９３】
前記保護カバーは、プラスチック、ゴム、及びシリコーンからなる群から選択される材料から略構成されていることを特徴とする請求項９２に記載の方法。
【請求項９４】
個人用タブレット型装置を略包むように成してある保護カバーの構造に組み込まれることにより、前記バックパネル連結部材は、前記個人用タブレット型装置の略平坦な裏面に取り付けられるように構成されていることを特徴とする請求項８０に記載の方法。
【請求項９５】
保持が強化された個人用タブレット型装置の使用方法であって、
個人用タブレット型装置をユーザの手に確実に保持させるための請求項５３に記載の装置を備えた個人用タブレット型装置を取得するステップと、
ユーザの手の少なくとも１本の指を、前記少なくとも１つのフィンガーグリップ部材に設けられた少なくとも１つの環状の穴に挿入するステップと、
ユーザの対向している親指で前記個人用タブレット型装置を把持する必要なしに、前記個人用タブレット型装置を保持するステップと
を有することを特徴とする方法。
【請求項９６】
ユーザの好みに応じて前記バックパネル連結部材の配置を調整するステップを更に有することを特徴とする請求項９５に記載の方法。
【請求項９７】
ユーザの手の少なくとも１本の指を挿入する前記ステップは、第１のフィンガーグリップ部材に挿入されるようにユーザの右手に適用され、第２のフィンガーグリップ部材に挿入されるようにユーザの左手に適用されることを特徴とする請求項９５に記載の方法。
【請求項９８】
挿入する前記ステップの前に、ユーザの好み及び快適さに応じて前記バックパネル連結部材上の前記少なくとも１つのフィンガーグリップ部材の位置を調整するステップを更に有することを特徴とする請求項９５に記載の方法。
【請求項９９】
前記保持装置は、請求項７３に記載の特徴を更に有しており、
前記方法は、前記少なくとも１つのフィンガーグリップ部材の環状の穴のユーザの少なくとも１本の指への適合性を調整するステップを更に有することを特徴とする請求項９５に記載の方法。
【請求項１００】
前記個人用タブレット型装置は、電子リーダー、携帯電話、タブレットコンピュータ、パーソナルデータアシスタント及びクリップボードからなる群から選択されることを特徴とする請求項９５に記載の方法。
【発明の詳細な説明】
【背景技術】
【０００１】
十年来、市場では様々なタイプの個人用手持ち式電子装置が普及している。これらの個人用手持ち式電子装置は、通常薄くてタブレット型であり、例えばＡｍａｚｏｎ  Ｋｉｎｄｌｅ（登録商標）、Ｂａｒｎｅｓ＆Ｎｏｂｌｅ  Ｎｏｏｋ（登録商標）及びＳｏｎｙ  ｅＲｅａｄｅｒ（登録商標）など人気のある電子リーダー（いわゆる「ｅ−ｒｅａｄｅｒ」）を含み、他の同様の装置が新バージョンのタブレットコンピュータ、例えばＡｐｐｌｅ  ｉＰａｄ（登録商標）、Ｇｏｏｇｌｅ  Ａｎｄｒｏｉｄ（登録商標）及び拡大している市場での様々な他の関連装置を含む。このようなタイプの個人用電子装置の主要な非常に人気のある用途は、従来の製本された組版書籍に代わって、電子書籍を表示して読むことである。また、このようなタイプの装置のほとんどは、例えば写真、ウェブページ、ビデオなどの様々な他のタイプの媒体を表示して見ることをサポートしている。
【先行技術文献】
【特許文献】
【０００２】
【特許文献１】米国特許出願公開第2009／0219677 号明細書
【発明の概要】
【発明が解決しようとする課題】
【０００３】
これらの個人用手持ち式電子装置のメーカは、これらの装置を保存したり、携帯したり、保持するためのユーザの負担を過度にかけないように、かなり薄くて比較的軽く設計することを試みている。しかしながら、典型的なユーザは、所定の環境で何時間も読むことがあり、例えば、寝椅子又はベッドでリラックスして読み、ユーザが長期間にわたって前記装置を把持しなければならず疲労又は痙攣による不快さが引き起こされることが分かっている。また、ユーザはよく他の用事を済ます（例えば、歩き回る、１杯のコーヒーを取るなど）必要があり、不注意で自分の手持ち式タブレット型装置をつかみ損なう及び／又は完全に落とすことがある。同様に、ユーザが前記装置を把持せずに保持しようとする場合、前記装置をユーザの手にバランスよく保っているに過ぎず、その結果、長期間にわたってユーザに重い負担をかけることになる。
【０００４】
ユーザによる書籍、クリップボード等の保持を支援するための装置が周知であり、前記装置は、書籍又はクリップボードを読む際に、書籍又はクリップボードを都合良く置く簡単に利用可能なプラットフォーム（例えば台又はテーブル）がない環境で使用される。多くの解決策は、書籍又はタブレット型装置をある種の固定された構造に着脱可能に取り付けて、使用中にユーザの両手を解放することにある。特に従来の書籍についての別の解決策では、ユーザの手を通すためのストラップを本の背に沿って設けることによって、ユーザがそれほど苦労せずに本を保持することが可能であるように前記ストラップがユーザの手の裏側に圧力を加えながら、前記本の背は、ユーザの手のひらに収まる。この後の解決策は、個人用手持ち式タブレット型電子装置への採用がやや非現実的であり、且つ、特に前記個人用手持ち式タブレット型電子装置を得るための金銭的な投資を第１に考えている場合、ユーザが前記個人用手持ち式タブレット型装置を保持する信頼性が最適ではない。
【０００５】
本開示は一般的に、ユーザが電子リーダー（例えば、Ａｍａｚｏｎ  Ｋｉｎｄｌｅ（登録商標）、Ｂａｒｎｅｓ＆Ｎｏｂｌｅ  Ｎｏｏｋ（登録商標）、Ｓｏｎｙ  ｅＲｅａｄｅｒ（登録商標））、タブレットコンピュータ装置（例えば、Ａｐｐｌｅ  ｉＰａｄ（登録商標）、Ｇｏｏｇｌｅ  Ａｎｄｒｏｉｄ（登録商標）及び拡大している市場での様々な他の装置）、携帯電話、パーソナルデジタルアシスタント（ＰＤＡ：ｐｅｒｓｏｎａｌ  Ｄａｔａ  ａｓｓｉｓｔａｎｔ）及び一般的なクリップボードのような個人用手持ち式タブレット型装置を確実に保持し、ユーザの手の疲労及び不快感を最小限度に抑えることを更に容易にする保持装置に関する。本発明に開示される典型的な実施形態では、織物又は可撓性材料（例えば、ポリプロピレン、ナイロン、ネオプレン、布、ビニール、ゴム、エラストマー材料など）から作製された１又は複数のフィンガーグリップ部材を備えており、個人用手持ち式タブレット型装置の裏側に配置されたシステムを提供することで、この問題を解決した。
【課題を解決するための手段】
【０００６】
Ｋｉｎｄｌｅ（登録商標）電子リーダーを対象とする一実施形態において、前記電子リーダーは、フック・ループカプラーの一側である取り付けられマット（通常、これは「ループ」部分である）を、電子リーダーの裏側に有している。前記マットは、１つの大きなマットであってよいし、又は複数のマットストリップ又はマットパッチであってもよい。いずれにしても、フック・ループカプラーの一致する部分により、ユーザは、１又は複数のフィンガーグリップ部材を前記マットに取り付けることができる。前記フィンガーグリップ部材は、ユーザの指を受け入れるための１又は複数の穴を有することができ、前記フィンガーグリップ部材の前記穴は一般的に互いに平行して一列に並んでいる。ここで、電子リーダーの例の変形例では、２つのフィンガーグリップ部材が備えられており、フィンガーグリップ部材の夫々に４つの穴があり、前記穴は、ユーザの各手の４本の指（親指を除く）を受け入れるように設計されている。前記フィンガーグリップ部材は、（フック・ループ連結を介して）容易に着脱可能であるので、前記フィンガーグリップ部材は、ユーザがより便利になるように置かれることができる。更にユーザは、複数のフィンガーグリップ部材の中の１つのみを使用してもよい。
【０００７】
他の実施形態において、フック及びループの連結により、前記フィンガーグリップ部材は、その長手面のいずれかで取り付けられることが可能である。更なる他の実施形態において、上述した実施形態の基本原理は携帯電話にも応用されることができ、この場合、フィンガーグリップ部材は１つのみであってもよく、前記フィンガーグリップ部材はユーザの１本の指（又は２本の指であってもよい）を受け入れるための１つ又は２つの穴のみを有しており、ユーザが歩いたり、様々な活動に従事しながら自分の携帯電話を保持することを支援する。
【０００８】
多くの実施形態において、前記保持装置は、個人用手持ち式タブレット型装置を受け入れるように設計された保護カバーの裏側に組み込まれるか又は取り付けられる。（当該技術分野で「スキン」と称される場合がある）このような保護カバーは、プラスチック、ゴム、シリコーン、又は、一般的に包まれる個人用手持ち式タブレット型装置のために衝撃吸収性及び／又は耐擦傷性保護機能を与えることができる他の適切な材料から形成され得る。
【０００９】
言うまでもなく、前記個人用手持ち式タブレット型装置の裏側に取り付けられたマットの第２の機能は、前記個人用手持ち式タブレット型装置を、フック・ループカプラーの接合部分を有する任意の表面に取り付けることである。
【図面の簡単な説明】
【００１０】
【図１】個人用手持ち式タブレット型装置（例えば電子リーダー）のバックパネル側に係る一実施形態を示す図である。１対のバックパネル連結部材が前記個人用手持ち式タブレット型装置に取り付けられており、各バックパネル連結部材は、個人用手持ち式タブレット型装置のバックパネルに確実に取り付けるために接着取付されるストリップを有している。各バックパネル連結部材の外側に、フィンガーグリップ部材に連結するための連結システムの１つの接合部分が含まれる。前記連結システムは、フック・ループ連結システムであることが多い。夫々のバックパネル連結部材に連結されたフィンガーグリップ部材は、ユーザの指を受け入れるように成してある少なくとも１つの穴を有している。
【図２】個人用手持ち式タブレット型装置（例えば電子リーダー）のバックパネル側に係る一実施形態を示す図である。１つの大きなバックパネル連結部材を形成する複数のバックパネル連結部材が、前記個人用手持ち式タブレット型装置に取り付けられており、各バックパネル連結部材は、個人用手持ち式タブレット型装置のバックパネルに確実に取り付けるための接着取付されるストリップを有している。一変形例では、複数のストリップの代わりに、前記バックパネル連結部材は、同じ材料から形成された１つの幅広なマットであってよい。前記バックパネル連結部材の外側に、１又は複数のフィンガーグリップ部材に連結するための連結システムの１つの接合部分が含まれる。前記連結システムは、フック・ループ連結システムであることが多い。夫々のバックパネル連結部材に連結された前記フィンガーグリップ部材は、ユーザの指を受け入れるように成してある少なくとも１つの穴を有している。
【図３】図１の実施形態を示す図であるが、複数のフィンガーグリップ部材の内の１つとユーザの手の４本の指との嵌合の一例を示す図である。
【図４】図３に示された実施形態と同じ実施形態の正面図である。
【図５】図１の実施形態を示す図であるが、複数のフィンガーグリップ部材の内の１つが、前記バックパネル連結部材に連結するための、フック・ループの内の前記フィンガーグリップ部材の「フック」部分を示すために、バックパネル連結部材から取り外されて、ひっくり返されている。
【図６】図２の実施形態を示す図であるが、複数のフィンガーグリップ部材の内の１つとユーザの手の４本の指との嵌合の一例を示す図である。
【図７】様々なサイズ及び形状を有する１組のバックパネル連結部材と様々なサイズを有する１組のフィンガーグリップ部材との一実施形態を示す図である。１組のバックパネル連結部材及び１組のフィンガーグリップ部材は、ユーザが保持装置をユーザ選択の個人用タブレット型装置の後部に組み立てて取り付け得るように、キットに含まれてもよい。これらの説明された組は、このようなキットに含まれ得る部品の数量と様々なサイズ及び形状とを限定するものではない。また、ユーザにより調整可能なフィンガーグリップ穴の二例を更に示す図である（符号４Ａを参照）。
【発明を実施するための形態】
【００１１】
用語
本明細書に特に明瞭に説明されない限り、このセクションでの引用符（「」）の中に示す用語又は表現は、この用語のセクションで用語又は表現に属する意味が、請求項を含む本明細書を通じて用語又は表現に適用されることを意図している。更に、必要に応じて、述べられた定義は、単語又は表現に関わらず、定義された単語又は表現の単数及び複数の変化に適用される。
【００１２】
本明細書及び添付の特許請求の範囲で使用される用語「又は」は、排他的であることを意図せず、むしろ、前記用語「又は」は、「いずれか又は全部」の意味を含む。
【００１３】
本明細書で参照される「一実施形態」、「実施形態」、「好ましい実施形態」、「代替可能な実施形態」、「変形例」、「一変形例」及び同様の表現は、説明された実施形態に関連する具体的な特徴、構造又は特徴が本発明の少なくとも１つの実施形態に含まれることを意味している。本明細書の様々な箇所に現れる表現「一実施形態において」及び／又は「一変形例において」は、必ずしも同じ実施形態を参照するものではない。
【００１４】
本明細書及び添付の特許請求の範囲で使用される用語「連結する」又は「連結される」は、特定された要素、構成要素、又はオブジェクト間の間接連結又は直接連結のいずれかを参照している。通常、連結方法は、具体的に２つの連結された構成要素が相互作用する方法に関する。
【００１５】
本特許出願の明細書（特許請求の範囲及び図面を含む）で使用される用語「取り外し可能」、「取り外し可能に連結される」、「容易に取り外し可能」、「容易に着脱可能」、及び同様の用語は、隣接する構造から比較的容易に（即ち、非破壊的で複雑又は時間のかかるプロセスなしに）分離することができ、且つ以前の隣接する構造に容易に再度取り付けられるか又は連結されることができる構造を参照する。
【００１６】
方向性用語及び／又は関連用語（例えば、左、右、最低点、頂点、頂部、底部、垂直、水平、後部、前部及び側部であるがこれらに限定されない）は、互いに相対的なものであり、該当する要素又は物の特定の向きに基づくものであり、様々な実施形態の説明を支援するために用いられており、且つ必ずしも限定して解釈されるものではない。
【００１７】
必要に応じて、本明細書で使用される用語「約」又は「一般的に」は、特に説明されない限り、±２０％の許容範囲を意味している。同様に、特に説明されない限り、本明細書で使用される用語「略」は、±１０％の許容範囲を意味している。使用される上記の用語の全ては、参照範囲を適用することができるように定量化できるものではないと理解すべきである。
【００１８】
本明細書及び添付の特許請求の範囲で使用される用語「個人用手持ち式タブレット型装置」及び「個人用タブレット型装置」は、略タブレット型のあらゆる個人用手持ち式電子装置、例えば、電子リーダー（例えばＡｍａｚｏｎ  Ｋｉｎｄｌｅ（登録商標）、Ｂａｒｎｅｓ＆Ｎｏｂｌｅ  Ｎｏｏｋ（登録商標）及びＳｏｎｙ  ｅＲｅａｄｅｒ（登録商標））、タブレットコンピュータ装置（例えば、Ａｐｐｌｅ  ｉＰａｄ（登録商標）、Ｇｏｏｇｌｅ  Ａｎｄｒｏｉｄ（登録商標）及び拡大している市場での様々な他の装置）、携帯電話、及びパーソナルデジタルアシスタント（ＰＤＡ）を一般的に参照する。代替可能な実施形態において、用語「個人用手持ち式タブレット型装置」は、一般的なクリップボードを参照することもできる。
【００１９】
第１の実施形態：個人用タブレット型装置のための人間工学的なユーザの手用嵌合装置
この実施形態は一般的に、個人用手持ち式タブレット型装置のための人間工学的なユーザの手用嵌合装置に関する。前記嵌合装置は、ユーザが前記個人用手持ち式タブレット型装置を容易に且つ確実に保持することが可能になるとともに、ユーザの手の疲労及び不快感を最小限度に抑えるように設計されている。前記個人用手持ち式タブレット型装置は、例えば電子リーダー（例えば、Ａｍａｚｏｎ  Ｋｉｎｄｌｅ（登録商標）、Ｂａｒｎｅｓ＆Ｎｏｂｌｅ  Ｎｏｏｋ（登録商標）及びＳｏｎｙ  ｅＲｅａｄｅｒ（登録商標））、タブレットコンピュータ装置（例えば、Ａｐｐｌｅ  ｉＰａｄ（登録商標）、Ｇｏｏｇｌｅ  Ａｎｄｒｏｉｄ（登録商標）及び拡大している市場での様々な他の装置）、携帯電話又は旧式のクリップボードである。
【００２０】
図１−図７を参照すると、本発明に開示される典型的な実施形態は、１又は複数のフィンガーグリップ部材３を備えているシステムを提供することで、この問題を解決している。前記フィンガーグリップ部材３は、ポリプロピレン、ナイロン、ネオプレン、布、ビニール、ゴム又は他の適切な材料から構成されている織物又は可撓性材料から形成されている。１又は複数のバックパネル連結部材２との着脱可能な連結により、前記フィンガーグリップ部材３は、個人用手持ち式タブレット型装置５のバックパネルに着脱可能に連結され、前記バックパネル連結部材２は、前記個人用手持ち式タブレット型装置５のバックパネルに確実に連結される。以下、例示のみを目的として、用語「個人用手持ち式タブレット型装置５」の代わりに、「電子リーダー５」を用いる。しかしながら、当業者であれば、様々な同様の形状の装置が本明細書に記載の人間工学的なユーザの手用嵌合装置と共に用いられることができ、そのため、この実施形態により包含されると理解すべきである。
【００２１】
一実施形態において、前記電子リーダー５は、フック・ループカプラーの一側である取り付けられたマット２（前記バックパネル連結部材２）（通常、前記電子リーダー５を保持するときにユーザの快適性を向上させ、且つ前記電子リーダー５が置かれる面を保護するために、これは「ループ」部分である）を電子リーダーの裏側に有している。前記マット２は、１つの大きなマットであってもよく、又は、前記バックパネル連結部材２が電子リーダー５の後部の構造に適応され得るように様々なサイズ及び形状を有する複数のマットストリップ又はマットパッチであってよい。様々な変形例において、前記マット２を前記電子リーダー５のバックパネルに接着媒体を介して取り付ける。
【００２２】
一実施形態において、ユーザは、フック・ループカプラーの一致する部分を介して１又は複数のフィンガーグリップ部材３を前記マット２に取り付けることができる。前記フィンガーグリップ部材３は、ユーザの指６を受け入れるための１又は複数の穴４を有することができ、前記フィンガーグリップ部材３の前記穴４は一般的に、互いに平行して一列に並んでいる。一変形例において、２つのフィンガーグリップ部材３が備えられており、前記フィンガーグリップ部材３は、ユーザの手６の４本の指（親指を除く）を受け入れるように設計された４つの穴４を有している。ユーザは、片手又は両手６を選んで前記フィンガーグリップ部材３を使用して前記電子リーダー５を保持することができる。前記フィンガーグリップ部材３は、（前記フック・ループ連結を介して）容易に着脱可能であるため、前記フィンガーグリップ部材３は、ユーザがより便利に感じるように前記バックパネル連結部材２に置かれ得る。ユーザは更に、複数のフィンガーグリップ部材３の内の１つのみを使用すると決定することができる。様々な実施形態において、前記フィンガーグリップ部材３は、ポリプロピレンウェビング、ナイロン、ネオプレン、布、タオル地、ビニール、ゴム、又は他の適切な材料のような織物又は可撓性材料から構成されており、縫製又は他の確実な取付方法（例えば、熱可塑性溶接、接着剤など）を用いて前記フィンガーグリップ穴４の材料の一部を基部に間隔をあけて連結させることにより、前記フィンガーグリップ穴４は形成されており、前記基部は、前記フィンガーグリップ穴４の反対側にバックパネル連結表面を含む。
【００２３】
この実施形態の他の変形例において、前記バックパネル連結部材２と前記フィンガーグリップ部材３との着脱可能な連結は、機械的なスナップ又は磁気連結により実現されることができ、前記バックパネル連結部材及び前記フィンガーグリップ部材３は、これらの連結手段のいずれかをサポートするように、適切なハードウェアが組み込まれていなければならないことは明らかである。
【００２４】
更なる他の実施形態においても、上述したように、前記装置用の連結手段により、前記フィンガーグリップ部材３は、前記フィンガーグリップ部材３の長手面のいずれかを用いて前記バックパネル連結部材２に取り付けられ得る。
【００２５】
ある変形例では、前記フィンガーグリップ部材３は、サイズが調節可能なフィンガーグリップ穴４を有しており、そのため、ユーザは、自分の好み及び快適さに応じて、前記フィンガーグリップ穴４を調節してフィンガーグリップ穴４をユーザの挿入された指６に適合させることができる。例えば、このような一変形例において、１又は複数の前記フィンガーグリップ穴４は小さなストラップから形成されており、ストラップは、ストラップの少なくとも一端で前記フィンガーグリップ部材３の基部に様々な長さで連結され得る。ある他の実施形態では、前記フィンガーグリップ穴４は、１又は複数の挿入されたユーザの指６に合わせるように成してあり、一又は複数のフィンガーグリップ穴４を形成するための材料は、弾性を有しており、対象ユーザの指の直径よりもわずかに小さいサイズを有している。
【００２６】
更なる実施形態において、上記の実施形態の基本原理は、比較的小さな個人用タブレット型電子装置５、例えば携帯電話に応用されることができる。一実施形態において、前記フィンガーグリップ部材３が１つだけ備えられており、ユーザが歩いたり、様々な活動に従事しながら、自分の携帯電話５を保持することを支援すべく、前記フィンガーグリップ部材３は、ユーザの指６（一変形例において、ユーザの２本の指であってもよい）を受け入れるために１つ又は２つの穴４のみを有している。
【００２７】
他の変形例において、上記の実施形態の基本原理は、非電子的な個人用手持ち式タブレット型装置５、例えばクリップボード又は他のタイプのノートに応用されることができる。
【００２８】
上述した装置を個人用手持ち式タブレット型装置に追加することにより新たに改良された装置１は、ユーザが不注意で自分の個人用手持ち式タブレット型装置を落として損傷を与える可能性を最小限度に抑えるように形成されている。
【００２９】
更なる実施形態において、前記個人用手持ち式タブレット型装置５に、個人用手持ち式タブレット型装置５の一部を包み込む保護カバー（当該技術分野で「スキン」と称されることがある）が組み込まれており、前記保護カバーはプラスチック、ゴム、シリコーン、又は他の同様の材料から形成されている。本明細書に記載の人間工学的なユーザの手用嵌合装置１は、前記個人用手持ち式タブレット型装置５のバックパネルを略覆う前記保護カバーの外側に取り付けられる。落として不適切な操作がある場合、前記保護カバーは通常、前記個人用手持ち式タブレット型装置５のために耐擦傷性及び／又は衝撃吸収性をもたらしながら、ユーザが制御部にアクセスして表示画面を見ることができるように開口部を有している。そのため、前記保護カバーは、関連する個人用手持ち式タブレット型装置５を「部分的に包む」と本明細書では称されている。この実施形態の一変形例において、前記保持装置の前記バックパネル連結部材２は、個人用手持ち式タブレット型装置５を受け入れるように設計されている前記保護カバーの背面に組み込まれるか又は形成される。
【００３０】
言うまでもなく、前記個人用手持ち式タブレット型装置５の裏面に取り付けられたマット２（即ち前記バックパネル連結部材２）の第２の機能は、前記個人用手持ち式タブレット型装置５を上述した連結手段の有効な接合部分を有する任意の表面に取り付けることである。例えば、一変形例において、前記フック・ループ連結手段における「ループ」部分は、前記電子リーダー５のバックパネルに配置され、そのため、前記電子リーダー５は、前記フック・ループ連結の「フック」部分として機能できるあらゆる表面に着脱可能に取り付けられることができる。
【００３１】
第２の実施形態：個人用タブレット型装置のための人間工学的なユーザの手用嵌合装置
この実施形態は一般的に、個人用手持ち式タブレット型装置のための人間工学的なユーザの手用嵌合装置に関する。前記嵌合装置は、ユーザが前記個人用手持ち式タブレット型装置を容易に且つ確実に保持することが可能になるとともに、ユーザの手の疲労及び不快感を最小限度に抑えるように設計されている。前記個人用手持ち式タブレット型装置は、例えば電子リーダー（例えば、Ａｍａｚｏｎ  Ｋｉｎｄｌｅ（登録商標）、Ｂａｒｎｅｓ＆Ｎｏｂｌｅ  Ｎｏｏｋ（登録商標）及びＳｏｎｙ  ｅＲｅａｄｅｒ（登録商標））、タブレットコンピュータ装置（例えば、Ａｐｐｌｅ  ｉＰａｄ（登録商標）、Ｇｏｏｇｌｅ  Ａｎｄｒｏｉｄ（登録商標）及び拡大している市場での様々な他の装置）、携帯電話又は一般的なクリップボードである。
【００３２】
図１−図７を参照すると、この実施形態は、個人用タブレット型装置５をユーザの手６に確実に保持させるための装置に関する。前記個人用タブレット型装置５は、その裏面に略平坦な部分を有する。前記個人用タブレット型装置は、
・前記個人用タブレット型装置５の略平坦な裏面に取り付けられるように構成されているバックパネル連結部材２と、
・前記バックパネル連結部材２に着脱可能に連結されるように構成されており、前記個人用タブレット型装置５の略平坦な裏面に関するユーザ指定の方向に、前記バックパネル連結部材２に着脱可能に連結され得る少なくとも１つのフィンガーグリップ部材３と
を備えている。
【００３３】
この実施形態は、更に拡張されることができる。前記バックパネル連結部材２と前記少なくとも１つのフィンガーグリップ部材３との着脱可能な連結は、フック・ループ連結、機械的なスナップ連結、及び磁気連結からなる群連結から選択される。
【００３４】
この実施形態は、更に拡張されることができる。前記バックパネル連結部材２と前記少なくとも１つのフィンガーグリップ部材３との着脱可能な連結は、フック・ループ連結であり、前記バックパネル連結部材２の着脱可能な連結表面は、前記フック・ループ連結の「ループ」部分であり、前記少なくとも１つのフィンガーグリップ部材３の着脱可能な連結表面は、前記フック・ループ連結の「フック」部分である。
【００３５】
この実施形態は、更に拡張されることができる。前記バックパネル連結部材２は、対象の個人用タブレット型装置のバックパネルの構造を収容するように様々な形状及びサイズを有することができる複数のマットから構成されており、各マットは前記フック・ループ連結の「ループ」部分として機能することができる。
【００３６】
この実施形態は、更に拡張されることができる。前記バックパネル連結部材２と前記少なくとも１つのフィンガーグリップ部材３との着脱可能な連結は、フック・ループ連結であり、前記バックパネル連結部材２の着脱可能な連結表面は、前記フック・ループ連結の「フック」部分であり、前記少なくとも１つのフィンガーグリップ部材３の着脱可能な連結表面は、前記フック・ループ連結の「ループ」部分である。
【００３７】
この実施形態は、更に拡張されることができる。前記バックパネル連結部材２は、対象の個人用タブレット型装置のバックパネルの構造を収容するように様々な形状及びサイズを有することができる複数のマットから構成されており、各マットは前記フック・ループ連結の「フック」部分として機能することができる。
【００３８】
この実施形態は、更に拡張されることができる。前記少なくとも１つのフィンガーグリップ部材３は、ユーザの手６の１又は複数の指に嵌まるように成してある少なくとも１つの環状の穴４を有しており、前記少なくとも１つの環状の穴４は、少なくとも１つの環状の穴４の長手軸が前記個人用タブレット型装置５の略平坦な裏面に略平行であるように設けられ、嵌まることによって、ユーザが、意識的に前記個人用タブレット型装置５を把持する必要なしに、前記個人用タブレット型装置５を確実に保持することを可能にする。
【００３９】
この実施形態は、更に拡張されることができる。前記環状の穴４は、ユーザの１本の指６のみを受け入れるように成してある。
【００４０】
この実施形態は、更に拡張されることができる。前記少なくとも１つのフィンガーグリップ部材３は、ユーザの指６に調節可能に合わせられるように成してある少なくとも１つの環状の穴４を有している。この実施形態の他の変形例において、前記少なくとも１つのフィンガーグリップ部材３の環状の穴４は、材料ストラップ４Ａによって画定され、前記材料ストラップ４Ａは該材料ストラップ４Ａにあるポイントで前記フィンガーグリップ部材３に固定して連結され、前記材料ストラップ４Ａは一側にフック・ループ連結の「フック」部分を有しており、他側にフック・ループ連結の「ループ」部分を有している。前記材料ストラップ４Ａの「ループ」部分の一部を前記材料ストラップ４Ａの「フック」部分の一部に着脱可能に連結することにより、前記材料ストラップ４Ａは、サイズが可変な穴４に形成され得る。
【００４１】
この実施形態は、更に拡張されることができる。前記少なくとも１つの環状の穴４は、弾性材料から略構成される。
【００４２】
この実施形態は、更に拡張されることができる。前記装置１は、電子リーダー、携帯電話、タブレットコンピュータ、パーソナルデータアシスタント及びクリップボードからなる群から選択される個人用タブレット型装置５をユーザが保持するように成してある。
【００４３】
この実施形態は、更に拡張されることができる。前記装置１は、ユーザが保護カバー内に少なくとも部分的に包まれた個人用タブレット型装置５を保持するように成してある。ある変形例では、前記保護カバーは、プラスチック、ゴム、及びシリコーンからなる群から選択される材料から略構成されているが、他の適切な弾性材料を用いることもできる。
【００４４】
更なる他の変形例においても、個人用タブレット型装置５を略包むように成してある保護カバーの構造に組み込まれることにより、前記バックパネル連結部材２は、前記個人用タブレット型装置５の略平坦な裏面に取り付けられるように構成される。
【００４５】
第３の実施形態：個人用タブレット型装置のための人間工学的なユーザの手用嵌合装置を製造する方法
この実施形態は一般的に、個人用手持ち式タブレット型装置のための人間工学的なユーザの手用嵌合装置を製造する方法に関する。前記嵌合装置は、ユーザが個人用手持ち式タブレット型装置を容易に且つ確実に保持することが可能になるとともに、ユーザの手の疲労及び不快感を最小限度に抑えるように設計されている。前記個人用手持ち式タブレット型装置は、例えば電子リーダー（例えば、Ａｍａｚｏｎ  Ｋｉｎｄｌｅ（登録商標）、Ｂａｒｎｅｓ＆Ｎｏｂｌｅ  Ｎｏｏｋ（登録商標）及びＳｏｎｙ  ｅＲｅａｄｅｒ（登録商標））、タブレットコンピュータ装置（例えば、Ａｐｐｌｅ  ｉＰａｄ（登録商標）、Ｇｏｏｇｌｅ  Ａｎｄｒｏｉｄ（登録商標）及び拡大している市場での様々な他の装置）、携帯電話又は一般的なクリップボードである。
【００４６】
図１−図７を参照すると、この実施形態は、個人用タブレット型装置５をユーザの手６に保持させるための装置を製造する方法に関する。前記個人用タブレット型装置５は、その裏面に略平坦な部分を有する。前記方法は、
・個人用タブレット型装置５の略平坦な裏面に取り付けられるように構成されているバックパネル連結部材２を準備するステップと、
・前記バックパネル連結部材２に着脱可能に連結されるように構成されており、前記個人用タブレット型装置５の略平坦な裏面に関するユーザ指定の方向に前記バックパネル連結部材２に着脱可能に連結され得る少なくとも１つのフィンガーグリップ部材３を準備するステップと
を有する。
【００４７】
この実施形態は、更に拡張されることができる。前記バックパネル連結パネル２と前記少なくとも１つのフィンガーグリップ部材３との着脱可能な連結は、フック・ループ連結、機械的なスナップ連結及び磁気連結からなる群連結から選択される。
【００４８】
この実施形態は、更に拡張されることができる。前記バックパネル連結部材２と前記少なくとも１つのフィンガーグリップ部材３との着脱可能な連結は、フック・ループ連結であり、前記バックパネル連結部材２の着脱可能な連結表面は、前記フック・ループ連結の「ループ」部分であり、前記少なくとも１つのフィンガーグリップ部材３の着脱可能な連結表面は、前記フック・ループ連結の「フック」部分である。
【００４９】
この実施形態は、更に拡張されることができる。前記バックパネル連結部材２は、対象の個人用タブレット型装置のバックパネルの構造を収容するように様々な形状及びサイズを有することができる複数のマットから構成されており、各マットが前記フック・ループ連結の「ループ」部分として機能することができる。
【００５０】
この実施形態は、更に拡張されることができる。前記バックパネル連結部材２と前記少なくとも１つのフィンガーグリップ部材３との着脱可能な連結は、フック・ループ連結であり、前記バックパネル連結部材２の着脱可能な連結表面は、前記フック・ループ連結の「フック」部分であり、前記少なくとも１つのフィンガーグリップ部材３の着脱可能な連結表面は、前記フック・ループ連結の「ループ」部分である。
【００５１】
この実施形態は、更に拡張されることができる。前記バックパネル連結部材２は、対象の個人用タブレット型装置のバックパネルの構造を収容するように様々な形状及びサイズを有することができる複数のマットから構成されており、各マットは前記フック・ループ連結の「フック」部分として機能することができる。
【００５２】
この実施形態は、更に拡張されることができる。前記少なくとも１つのフィンガーグリップ部材３は、ユーザの手６の１又は複数の指に嵌まるように成してある少なくとも１つの環状の穴４を有しており、前記少なくとも１つの環状の穴４は、少なくとも１つの環状の穴４の長手軸が前記個人用タブレット型装置５の略平坦な裏面に略平行であるように設けられる。嵌まることにより、ユーザが、意識的に前記個人用タブレット型装置５を把持する必要なしに、前記個人用タブレット型装置５を確実に保持できることを可能にする。
【００５３】
この実施形態は、更に拡張されることができる。前記環状の穴４は、ユーザの１本の指６のみを受け入れるように成してある。
【００５４】
この実施形態は、更に拡張されることができる。前記少なくとも１つのフィンガーグリップ部材３は、ユーザの指６に調節可能に合わせられるように成してある少なくとも１つの環状の穴４を有している。この実施形態の他の変形例において、前記少なくとも１つのフィンガーグリップ部材３の環状の穴４は、材料ストラップ４Ａによって画定され、前記材料ストラップ４Ａは該材料ストラップ４Ａにあるポイントで前記フィンガーグリップ部材３に固定して連結され、前記材料ストラップ４Ａは、一側にフック・ループ連結の「フック」部分を有し、他側にフック・ループ連結の「ループ」部分を有している。前記材料ストラップ４Ａの「ループ」部分の一部を前記材料ストラップ４Ａの「フック」部分の一部に着脱可能に連結することにより、前記材料ストラップ４Ａは、サイズが可変な穴４に形成され得る。
【００５５】
この実施形態は、更に拡張されることができる。前記少なくとも１つの環状の穴４は、弾性材料から略構成される。
【００５６】
この実施形態は、更に拡張されることができる。前記装置１は、電子リーダー、携帯電話、タブレットコンピュータ、パーソナルデータアシスタント及びクリップボードからなる群から選択される個人用タブレット型装置５をユーザが保持するように成してある。
【００５７】
この実施形態は、更に拡張されることができる。前記装置１は、保護カバー内に少なくとも部分的に包まれた個人用タブレット型装置５をユーザが保持するように成してある。ある変形例では、前記保護カバーは、プラスチック、ゴム、及びシリコーンからなる群から選択される材料から略構成されているが、他の適切な弾性材料を用いることもできる。
【００５８】
更なる他の変形例において、個人用タブレット型装置５を略包むように成してある保護カバーの構造に組み込まれることにより、前記バックパネル連結部材２は、前記個人用タブレット型装置５の略平坦な裏面に取り付けられるように構成される。
【００５９】
第４の実施形態：個人用タブレット型装置のための人間工学的なユーザの手用嵌合装置の使用方法
この実施形態は一般的に、上述した第１又は第２の実施形態に係る個人用手持ち式タブレット型装置のための人間工学的なユーザの手用嵌合装置の使用方法に関する。前記嵌合装置は、ユーザが個人用手持ち式タブレット型装置を容易に且つ確実に保持することが可能になるとともに、ユーザの手の疲労及び不快感を最小限度に抑えるように設計されている。前記個人用手持ち式タブレット型装置は、例えば電子リーダー（例えば、Ａｍａｚｏｎ  Ｋｉｎｄｌｅ（登録商標）、Ｂａｒｎｅｓ＆Ｎｏｂｌｅ  Ｎｏｏｋ（登録商標）及びＳｏｎｙ  ｅＲｅａｄｅｒ（登録商標））、タブレットコンピュータ装置（例えば、Ａｐｐｌｅ  ｉＰａｄ（登録商標）、Ｇｏｏｇｌｅ  Ａｎｄｒｏｉｄ（登録商標）及び拡大している市場での様々な他の装置）、携帯電話又は一般的なクリップボードである。
【００６０】
図１−図７を参照すると、この実施形態は、上述した第１又は第２の実施形態に係る装置１をユーザの手６で使用する方法に関する。前記方法は、
・上述した第１又は第２の実施形態に応じて、個人用タブレット型装置５をユーザの手６に確実に保持させるための装置１を備えた個人用タブレット型装置５を得るステップと、
・ユーザの手６の少なくとも１本の指を、前記少なくとも１つのフィンガーグリップ部材３に設けられた少なくとも１つの環状の穴４に挿入するステップと、
・ユーザの対向している親指で前記個人用タブレット型装置５を把持する必要なしに、前記個人用タブレット型装置５を保持するステップと
を有する。
【００６１】
この実施形態は、ユーザの好みに応じて前記バックパネル連結部材２の配置を調整するステップを更に有するように拡張されることができる。
【００６２】
この実施形態は、更に拡張されることができる。ユーザの手６の少なくとも１本の指を挿入する前記ステップは、第１のフィンガーグリップ部材３に挿入されるようにユーザの右手に適用され、第２のフィンガーグリップ部材３に挿入されるようにユーザの左手６に適用される。
【００６３】
この実施形態は、指を挿入する前記ステップの前に、ユーザの好み及び快適さに応じて前記バックパネル連結部材２上の前記少なくとも１つのフィンガーグリップ部材３の位置を調整するステップを更に有するように拡張されることができる。
【００６４】
この実施形態は、前記少なくとも１つのフィンガーグリップ部材３の環状の穴４のユーザの少なくとも１本の指６への適合性を調整するステップを更に有するように拡張されることができる。
【００６５】
この実施形態は、更に拡張されることができる。前記個人用タブレット型装置５は、電子リーダー、携帯電話、タブレットコンピュータ、パーソナルデータアシスタント及びクリップボードからなる群から選択される。
【００６６】
第５の実施形態：個人用タブレット型装置のための人間工学的なユーザの手用嵌合装置を組み立てて取り付けるためのキット
この実施形態は一般的に、個人用手持ち式タブレット型装置に人間工学的なユーザの手用嵌合装置を組み立てて取り付けるためのキットに関する。前記嵌合装置は、ユーザが前記個人用手持ち式タブレット型装置を容易に且つ確実に保持することが可能になるとともに、ユーザの手の疲労及び不快感を最小限度に抑えるように設計されている。前記個人用手持ち式タブレット型装置は、例えば電子リーダー（例えば、Ａｍａｚｏｎ  Ｋｉｎｄｌｅ（登録商標）、Ｂａｒｎｅｓ＆Ｎｏｂｌｅ  Ｎｏｏｋ（登録商標）及びＳｏｎｙ  ｅＲｅａｄｅｒ（登録商標））、タブレットコンピュータ装置（例えば、Ａｐｐｌｅ  ｉＰａｄ（登録商標）、Ｇｏｏｇｌｅ  Ａｎｄｒｏｉｄ（登録商標）及び拡大している市場での様々な他の装置）、携帯電話又は一般的なクリップボードである。
【００６７】
図１−図７を参照すると、この実施形態は、その裏面に略平坦な部分を有する個人用タブレット型装置５をユーザの手に確実に保持させるための上述した第１又は第２の実施形態に係る装置１を組み立てるためのキットに関する。前記キットは、
・ユーザ選択の個人用タブレット型装置５の略平坦な裏面に取り付けられるバックパネル連結部材２を組み立てるための複数の様々なサイズ及び形状のマット２（図７を参照する）であり、前記ユーザ選択の個人用タブレット型装置５の略平坦な裏面に接着取付され得る第１の側と、少なくとも１つのフィンガーグリップ部材３に着脱可能に連結されるように成してある第２の側とを有しており、マット２の様々なサイズ及び形状の多様性により、これらのマット２のサブセットが、ユーザにより前記ユーザ選択の個人用タブレット型装置５の略平坦な裏面に組み立てて取り付けられることによって、前記少なくとも１つのフィンガーグリップ部材３のための効果的な連結表面を与える複数のマット２と、
・前記ユーザ選択の個人用タブレット型装置５に取り付けられたバックパネル連結部材２に着脱可能に連結されるように成してある複数のフィンガーグリップ部材３（図７を参照する）であり、ユーザが１又は複数の適切なサイズのフィンガーグリップ部材３を選択して前記バックパネル連結部材２に取り付けることができるように、様々なサイズで構成されており、ユーザ選択の個人用タブレット型装置５の略平坦な裏面に関するユーザ指定の方向に、前記バックパネル連結部材２に着脱可能に連結されるように夫々成してある複数のフィンガーグリップ部材３と
を備えている。
【００６８】
この実施形態は、更に拡張されることができる。組み立てられて取り付けられたバックパネル連結部材２とユーザ選択のフィンガーグリップ部材３との着脱可能な連結は、フック・ループ連結、機械的なスナップ連結及び磁気連結からなる群から選択される。
【００６９】
この実施形態は、更に拡張されることができる。組み立てられて取り付けられたバックパネル連結部材２とユーザ選択のフィンガーグリップ部材３との着脱可能な連結は、フック・ループ連結であり、組み立てられて取り付けられたバックパネル連結部材２の着脱可能な連結表面は、フック・ループ連結の「ループ」部分であり、前記ユーザ選択のフィンガーグリップ部材３の着脱可能な連結表面は、フック・ループ連結の「フック」部分である。
【００７０】
この実施形態は、更に拡張されることができる。組み立てられて取り付けられたバックパネル連結部材２とユーザ選択のフィンガーグリップ部材３との着脱可能な連結は、フック・ループ連結であり、組み立てられて取り付けられたバックパネル連結部材２の着脱可能な連結表面は、フック・ループ連結の「フック」部分であり、前記ユーザ選択のフィンガーグリップ部材３の着脱可能な連結表面は、フック・ループ連結の「ループ」部分である。
【００７１】
この実施形態は、更に拡張されることができる。複数のフィンガーグリップ部材３の夫々は、ユーザの手６の１又は複数の指に嵌まるように成してある少なくとも１つの環状の穴４を有しており、ユーザ選択のフィンガーグリップ部材３が、ユーザ選択の個人用タブレット型装置５に組み立てられて取り付けられたバックパネル連結部材２に取り付けられるとき、ユーザ選択のフィンガーグリップ部材３の前記少なくとも１つの環状の穴４は、少なくとも１つの環状の穴４の長手軸がユーザ選択の個人用タブレット型装置５の略平坦な裏面に略平行であるように設けられ、嵌まることによって、ユーザが、意識的に前記ユーザ選択の個人用タブレット型装置５を把持する必要なしに、前記ユーザ選択の個人用タブレット型装置５を確実に保持することを可能にする。
【００７２】
この実施形態は、更に拡張されることができる。各環状の穴４は、ユーザの１本の指６のみを受け入れるように成してある。
【００７３】
この実施形態は、更に拡張されることができる。前記複数のフィンガーグリップ部材３の夫々は、ユーザの指６に調節可能に合わせられるように成してある少なくとも１つの環状の穴４を有する。
【００７４】
この実施形態は、更に拡張されることができる。前記複数のフィンガーグリップ部材３の夫々の前記少なくとも１つの環状の穴４は、材料ストラップ４Ａによって画定され、前記材料ストラップ４Ａは、前記材料ストラップ４Ａにあるポイントで前記フィンガーグリップ部材３の基部に固定して連結され、前記材料ストラップ４Ａは、一側にフック・ループ連結の「フック」部分を有し、他側にフック・ループ連結の「ループ」部分を有している。前記材料ストラップ４Ａの「ループ」部分の一部を前記材料ストラップ４Ａの「フック」部分の一部に着脱可能に連結することにより、前記材料ストラップ４Ａは、サイズが可変な穴４に形成され得る。
【００７５】
この実施形態は、更に拡張されることができる。前記少なくとも１つの環状の穴４は、弾性材料から略構成される。
【００７６】
この実施形態は、更に拡張されることができる。前記キットは、ユーザが、電子リーダー、携帯電話、タブレットコンピュータ、パーソナルデータアシスタント及びクリップボードからなる群から選択される複数の様々なサイズの個人用タブレット型装置に保持装置を組み立てて取り付けるように成してある。
【００７７】
この実施形態は、更に拡張されることができる。前記キットは、保護カバーに少なくとも部分に包まれた個人用タブレット型装置５をユーザが保持するための装置１の組み立てを容易にするように成してある。ある変形例では、前記保護カバーは、プラスチック、ゴム、及びシリコーンからなる群から選択される材料から略構成されているが、他の適切な弾性材料を用いることもできる。
【００７８】
更なる他の変形例においても、個人用タブレット型装置５を略包むように成してある保護カバーの構造に組み込まれることにより、前記バックパネル連結部材２を構成する複数のマット２は、前記個人用タブレット型装置５の略平坦な裏面に取り付けられるように構成される。
【００７９】
第６の実施形態：個人用タブレット型装置のための人間工学的なユーザの手用嵌合装置を組み立てて取り付けるためのキットの製造方法
この実施形態は一般的に、個人用手持ち式タブレット型装置に人間工学的なユーザの手用嵌合装置を組み立てて取り付けるためのキットの製造方法に関する。前記嵌合装置は、ユーザが対象の個人用手持ち式タブレット型装置を容易に且つ確実に保持することが可能になるとともに、ユーザの手の疲労及び不快感を最小限度に抑えるように設計されている。前記個人用手持ち式タブレット型装置は、例えば電子リーダー（例えば、Ａｍａｚｏｎ  Ｋｉｎｄｌｅ（登録商標）、Ｂａｒｎｅｓ＆Ｎｏｂｌｅ  Ｎｏｏｋ（登録商標）及びＳｏｎｙ  ｅＲｅａｄｅｒ（登録商標））、タブレットコンピュータ装置（例えば、Ａｐｐｌｅ  ｉＰａｄ（登録商標）、Ｇｏｏｇｌｅ  Ａｎｄｒｏｉｄ（登録商標）及び拡大している市場での様々な他の装置）、携帯電話又は一般的なクリップボードである。
【００８０】
図１−図７を参照すると、この実施形態は、その裏面に略平坦な部分を有する個人用タブレット型装置５をユーザの手に確実に保持させるための上述した第１又は第２の実施形態に係る装置１を組み立てるためのキットの製造方法に関する。前記キットの製造方法は、
・ユーザ選択の個人用タブレット型装置５の略平坦な裏面に取り付けられるバックパネル連結部材２を組み立てるための複数の様々なサイズ及び形状のマット２（図７を参照する）を準備するステップであり、前記マット２は、前記ユーザ選択の個人用タブレット型装置５の略平坦な裏面に接着取付され得る第１の側と、少なくとも１つのフィンガーグリップ部材３に着脱可能に連結されるように成してある第２の側とを有しており、前記マット２の様々なサイズ及び形状の多様性により、マット２のサブセットが、ユーザにより前記ユーザ選択の個人用タブレット型装置５の略平坦な裏面に組み立てて取り付けられることによって、前記少なくとも１つのフィンガーグリップ部材３のための効果的な連結表面を与えるステップと、
・前記ユーザ選択の個人用タブレット型装置５に取り付けられたバックパネル連結部材２に着脱可能に連結されるように成してある複数のフィンガーグリップ部材３（図７を参照する）を準備するステップであり、前記複数のフィンガーグリップ部材３は、ユーザが前記バックパネル連結部材２に取り付けるために１又は複数の適切なサイズのフィンガーグリップ部材３を選択できるように、様々なサイズで備えられており、前記複数のフィンガーグリップ部材３の夫々は、ユーザ選択の個人用タブレット型装置５の略平坦な裏面に関するユーザ指定の方向に前記バックパネル連結部材２に着脱可能に連結されるように成してあるステップと
を有する。
【００８１】
この実施形態は、更に拡張されることができる。組み立てられて取り付けられたバックパネル連結部材２とユーザ選択のフィンガーグリップ部材３との着脱可能な連結は、フック・ループ連結、機械的なスナップ連結及び磁気連結からなる群から選択される。
【００８２】
この実施形態は、更に拡張されることができる。組み立てられて取り付けられたバックパネル連結部材２とユーザ選択のフィンガーグリップ部材３との着脱可能な連結は、フック・ループ連結であり、組み立てられて取り付けられたバックパネル連結部材２の着脱可能な連結表面は、フック・ループ連結の「ループ」部分であり、前記ユーザ選択のフィンガーグリップ部材３の着脱可能な連結表面は、フック・ループ連結の「フック」部分である。
【００８３】
この実施形態は、更に拡張されることができる。組み立てられて取り付けられたバックパネル連結部材２とユーザ選択のフィンガーグリップ部材３との着脱可能な連結は、フック・ループ連結であり、組み立てられて取り付けられたバックパネル連結部材２の着脱可能な連結表面は、フック・ループ連結の「フック」部分であり、前記ユーザ選択のフィンガーグリップ部材３の着脱可能な連結表面は、フック・ループ連結の「ループ」部分である。
【００８４】
この実施形態は、更に拡張されることができる。複数のフィンガーグリップ部材３の夫々は、ユーザの手６の１又は複数の指に嵌まるように成してある少なくとも１つの環状の穴４を有しており、ユーザ選択のフィンガーグリップ部材３が、ユーザ選択の個人用タブレット型装置５に組み立てられて取り付けられたバックパネル連結部材２に取り付けられるとき、ユーザ選択のフィンガーグリップ部材３の前記少なくとも１つの環状の穴４は、少なくとも１つの環状の穴４の長手軸がユーザ選択の個人用タブレット型装置５の略平坦な裏面に略平行であるように設けられ、嵌まることによって、ユーザが、意識的に前記ユーザ選択の個人用タブレット型装置５を把持する必要なしに、前記ユーザ選択の個人用タブレット型装置５を確実に保持することを可能にする。
【００８５】
この実施形態は、更に拡張されることができる。各環状の穴４は、ユーザの１本の指６のみを受け入れるように成してある。
【００８６】
この実施形態は、更に拡張されることができる。前記複数のフィンガーグリップ部材３の夫々は、ユーザの指６に調節可能に合わせられるように成してある少なくとも１つの環状の穴４を有する。
【００８７】
この実施形態は、更に拡張されることができる。前記複数のフィンガーグリップ部材３の夫々の前記少なくとも１つの環状の穴４は、材料ストラップ４Ａによって画定され、前記材料ストラップ４Ａは、前記材料ストラップ４Ａにあるポイントで前記フィンガーグリップ部材３の基部に固定して連結され、前記材料ストラップ４Ａは、一側にフック・ループ連結の「フック」部分を有し、他側にフック・ループ連結の「ループ」部分を有している。前記材料ストラップ４Ａの「ループ」部分の一部を前記材料ストラップ４Ａの「フック」部分の一部に着脱可能に連結することにより、前記材料ストラップ４Ａは、サイズが可変な穴４に形成され得る。
【００８８】
この実施形態は、更に拡張されることができる。前記少なくとも１つの環状の穴４は、弾性材料から略構成される。
【００８９】
この実施形態は、更に拡張されることができる。前記キットは、ユーザが電子リーダー、携帯電話、タブレットコンピュータ、パーソナルデータアシスタント及びクリップボードからなる群から選択される複数の様々なサイズの個人用タブレット型装置に保持装置を組み立てて取り付けるように成してある。
【００９０】
この実施形態は、更に拡張されることができる。前記キットは、保護カバー内に少なくとも部分的に包まれた個人用タブレット型装置５をユーザが保持するための装置１の組み立てを容易にするように成してある。他の変形例では、前記保護カバーは、プラスチック、ゴム、及びシリコーンからなる群から選択される材料から略構成されているが、他の適切な弾性材料を用いることもできる。
【００９１】
更なる他の変形例においても、個人用タブレット型装置５を略包むように成してある保護カバーの構造に組み込まれることにより、前記バックパネル連結部材２を構成する複数のマット２は、前記個人用タブレット型装置５の略平坦な裏面に取り付けられるように構成される。
【００９２】
第７の実施形態：個人用タブレット型装置のための人間工学的なユーザの手用嵌合装置を組み立てて取り付けるためのキットの使用方法
この実施形態は一般的に、上述された第１又は第２の実施形態に係る個人用手持ち式タブレット型装置のための人間工学的なユーザの手用嵌合装置を組み立てて取り付けるためのキットの使用方法に関する。前記嵌合装置は、ユーザが個人用手持ち式タブレット型装置を容易に且つ確実に保持することが可能になるとともに、ユーザの手の疲労及び不快感を最小限度に抑えるように設計されている。前記個人用手持ち式タブレット型装置は、例えば電子リーダー（例えば、Ａｍａｚｏｎ  Ｋｉｎｄｌｅ（登録商標）、Ｂａｒｎｅｓ＆Ｎｏｂｌｅ  Ｎｏｏｋ（登録商標）及びＳｏｎｙ  ｅＲｅａｄｅｒ（登録商標））、タブレットコンピュータ装置（例えば、Ａｐｐｌｅ  ｉＰａｄ（登録商標）、Ｇｏｏｇｌｅ  Ａｎｄｒｏｉｄ（登録商標）及び拡大している市場での様々な他の装置）、携帯電話又は一般的なクリップボードである。
【００９３】
図１−図７を参照すると、この実施形態は、個人用タブレット型装置５をユーザの手６に確実に保持させるための上述した第１の実施形態又は第２の実施形態に係る装置１を組み立てるためのキットの使用方法に関する。前記方法は、
・上述した第５の実施形態に係るキットを取得するステップと、
・前記保持装置１を取り付ける対象の個人用タブレット型装置５を決定するステップと、
・前記対象の個人用タブレット型装置５のバックパネルに固定すべく、適合したサイズ及び形状の少なくとも１つの前記マット２（図７を参照する）を選択し、その後、前記少なくとも１つのマット２を前記バックパネル５に固定するステップと、
・ユーザ指定数の指受入穴４を有しており、取り付けられたマット２に効果的に着脱可能に連結するための、適合したサイズを有する少なくとも１つのフィンガーグリップ部材３（図７を参照する）を選択するステップと、
・対象の個人用タブレット型装置５の略平坦な裏面に関するユーザ指定の方向に前記少なくとも１つのフィンガーグリップ部材３を、取り付けられた前記マット２に連結させるステップと
を有する。
【００９４】
この実施形態は、以下のステップを更に有するように拡張されることができる。
・ユーザの手６の少なくとも１本の指をユーザ選択のフィンガーグリップ部材３の穴４に挿入するステップ、及び
・ユーザの対向している親指で前記対象個人用タブレット型装置５を把持する必要なしに、前記対象の個人用タブレット型装置５を保持するステップ
【００９５】
この実施形態は、更に拡張されることができる。前記対象の個人用タブレット型装置５は、電子リーダー、携帯電話、タブレットコンピュータ、パーソナルデータアシスタント及びクリップボードからなる群から選択される。
【００９６】
第８の実施形態：保持が強化された個人用タブレット型装置
この実施形態は一般的に、保持が強化された個人用手持ち式タブレット型装置に関する。前記保持が強化された個人用タブレット型装置は、ユーザが前記個人用手持ち式タブレット型装置を容易に且つ確実に保持することが可能になるとともに、ユーザの手の疲労及び不快感を最小限度に抑えるように設計されている。前記個人用手持ち式タブレット型装置は、例えば電子リーダー（例えば、Ａｍａｚｏｎ  Ｋｉｎｄｌｅ（登録商標）、Ｂａｒｎｅｓ＆Ｎｏｂｌｅ  Ｎｏｏｋ（登録商標）及びＳｏｎｙ  ｅＲｅａｄｅｒ（登録商標））、タブレットコンピュータ装置（例えば、Ａｐｐｌｅ  ｉＰａｄ（登録商標）、Ｇｏｏｇｌｅ  Ａｎｄｒｏｉｄ（登録商標）及び拡大している市場での様々な他の装置）、携帯電話又は一般的なクリップボードである。
【００９７】
図１−図７を参照すると、この実施形態は、ユーザの手６における保持が強化された個人用タブレット型装置１に関する。個人用タブレット型装置５は、その裏面に略平坦な部分を有する。前記保持が強化された個人用タブレット型装置１は、
・その裏面に略平坦な部分を有する個人用タブレット型装置５と、
・前記個人用タブレット型装置５の略平坦な裏面に取り付けられたバックパネル連結部材２と、
・前記バックパネル連結部材２に着脱可能に連結されており、前記個人用タブレット型装置５の略平坦な裏面に関するユーザ指定の方向に、前記バックパネル連結部材２に着脱可能に連結され得る少なくとも１つのフィンガーグリップ部材３と
を備えている。
【００９８】
この実施形態は、更に拡張されることができる。前記バックパネル連結部材２と前記少なくとも１つのフィンガーグリップ部材３との着脱可能な連結は、フック・ループ連結、機械的なスナップ連結、及び磁気連結からなる群から選択される。
【００９９】
この実施形態は、更に拡張されることができる。前記バックパネル連結部材２と前記少なくとも１つのフィンガーグリップ部材３との着脱可能な連結は、フック・ループ連結であり、前記バックパネル連結部材２の着脱可能な連結表面は、前記フック・ループ連結の「ループ」部分であり、前記少なくとも１つのフィンガーグリップ部材３の着脱可能な連結表面は、前記フック・ループ連結の「フック」部分である。
【０１００】
この実施形態は、更に拡張されることができる。前記バックパネル連結部材２は、対象の個人用タブレット型装置のバックパネルの構造を収容するように様々な形状及びサイズを有する複数のマットから構成されており、各マットは前記フック・ループ連結の「ループ」部分として機能することができる。
【０１０１】
この実施形態は、更に拡張されることができる。前記バックパネル連結部材２と前記少なくとも１つのフィンガーグリップ部材３との着脱可能な連結は、フック・ループ連結であり、前記バックパネル連結部材２の着脱可能な連結表面は、前記フック・ループ連結の「フック」部分であり、前記少なくとも１つのフィンガーグリップ部材３の着脱可能な連結表面は、前記フック・ループ連結の「ループ」部分である。
【０１０２】
この実施形態は、更に拡張されることができる。前記バックパネル連結部材２は、対象の個人用タブレット型装置のバックパネルの構造を収容するように様々な形状及びサイズを有する複数のマットから構成されており、各マットは前記フック・ループ連結の「フック」部分として機能することができる。
【０１０３】
この実施形態は、更に拡張されることができる。前記少なくとも１つのフィンガーグリップ部材３は、ユーザの手６の１又は複数の指に嵌まるように成してある少なくとも１つの環状の穴４を有し、前記少なくとも１つの環状の穴４は、少なくとも１つの環状の穴４の長手軸が前記個人用タブレット型装置５の略平坦な裏面に略平行であるように設けられ、嵌まることによって、ユーザが、意識的に前記個人用タブレット型装置５を把持する必要なしに、前記個人用タブレット型装置５を確実に保持することを可能にする。
【０１０４】
この実施形態は、更に拡張されることができる。各環状の穴４は、ユーザの１本の指６のみを受け入れるように成してある。
【０１０５】
この実施形態は、更に拡張されることができる。前記少なくとも１つのフィンガーグリップ部材３は、ユーザの指６に調節可能に合わせられるように成してある少なくとも１つの環状の穴４を有する。この実施形態の更なる変形例において、前記少なくとも１つのフィンガーグリップ部材３の環状の穴４は、材料ストラップ４Ａによって画定され、前記材料ストラップ４Ａは前記材料ストラップ４Ａにあるポイントで前記フィンガーグリップ部材３に固定して連結され、前記材料ストラップ４Ａは、一側にフック・ループ連結の「フック」部分を有し、他側にフック・ループ連結の「ループ」部分を有している。前記材料ストラップ４Ａの「ループ」部分の一部を前記材料ストラップ４Ａの「フック」部分の一部に着脱可能に連結することにより、前記材料ストラップ４Ａは、サイズが可変な穴４に形成され得る。
【０１０６】
この実施形態は、更に拡張されることができる。前記少なくとも１つの環状の穴４は、弾性材料から略構成される。
【０１０７】
この実施形態は、更に拡張されることができる。前記個人用タブレット型装置５は、電子リーダー、携帯電話、タブレットコンピュータ、パーソナルデータアシスタント及びクリップボードからなる群から選択される。
【０１０８】
この実施形態は、更に拡張されることができる。前記個人用タブレット型装置５は、保護カバー内に少なくとも部分的に包まれており、前記保護カバーは前記個人用タブレット型装置５の裏面の略平坦な部分を包んでいる。他の変形例では、前記保護カバーは、プラスチック、ゴム、及びシリコーンからなる群から選択される材料から略構成されているが、他の適切な弾性材料を用いることもできる。
【０１０９】
この実施形態は、更に拡張されることができる。個人用タブレット型装置５を略包むように成してある保護カバーの構造に組み込まれることにより、前記バックパネル連結部材２は、前記個人用タブレット型装置５の略平坦な裏面に取り付けられるように構成される。
【０１１０】
第９の実施形態：保持が強化された個人用タブレット型装置の製造方法
この実施形態は一般的に、保持が強化された個人用手持ち式タブレット型装置の製造方法に関する。前記保持が強化された個人用タブレット型装置は、ユーザが前記個人用手持ち式タブレット型装置を容易に且つ確実に保持することが可能になるとともに、ユーザの手の疲労及び不快感を最小限度に抑えるように設計されている。前記個人用手持ち式タブレット型装置は、例えば電子リーダー（例えば、Ａｍａｚｏｎ  Ｋｉｎｄｌｅ（登録商標）、Ｂａｒｎｅｓ＆Ｎｏｂｌｅ  Ｎｏｏｋ（登録商標）及びＳｏｎｙ  ｅＲｅａｄｅｒ（登録商標））、タブレットコンピュータ装置（例えば、Ａｐｐｌｅ  ｉＰａｄ（登録商標）、Ｇｏｏｇｌｅ  Ａｎｄｒｏｉｄ（登録商標）及び拡大している市場での様々な他の装置）、携帯電話又は一般的なクリップボードである。
【０１１１】
図１−図７を参照すると、この実施形態は、保持が強化された個人用タブレット型装置１の製造方法に関する。前記個人用タブレット型装置５は、その裏面に略平坦な部分を有する。前記方法は、
・その裏面に略平坦な部分を有する個人用タブレット型装置５を準備するステップと、
・前記個人用タブレット型装置５の略平坦な裏面に取り付けられるように構成されているバックパネル連結部材２を準備するステップと、
・前記バックパネル連結部材２に着脱可能に連結され、前記個人用タブレット型装置５の略平坦な裏面に関するユーザ指定の方向に、前記バックパネル連結部材２に着脱可能に連結され得る少なくとも１つのフィンガーグリップ部材を準備するステップと
を有する。
【０１１２】
この実施形態は、更に拡張されることができる。前記バックパネル連結部材２と前記少なくとも１つのフィンガーグリップ部材３との着脱可能な連結は、フック・ループ連結、機械的なスナップ連結及び磁気連結からなる群から選択される。
【０１１３】
この実施形態は、更に拡張されることができる。前記バックパネル連結部材２と前記少なくとも１つのフィンガーグリップ部材３との着脱可能な連結は、フック・ループ連結であり、前記バックパネル連結部材２の着脱可能な連結表面は、前記フック・ループ連結の「ループ」部分であり、前記少なくとも１つのフィンガーグリップ部材３の着脱可能な連結表面は、前記フック・ループ連結の「フック」部分である。
【０１１４】
この実施形態は、更に拡張されることができる。前記バックパネル連結部材２は、対象の個人用タブレット型装置のバックパネルの構造を収容するように様々な形状及びサイズを有することができる複数のマットから構成されており、各マットは前記フック・ループ連結の「ループ」部分として機能することができる。
【０１１５】
この実施形態は、更に拡張されることができる。前記バックパネル連結部材２と前記少なくとも１つのフィンガーグリップ部材３との着脱可能な連結は、フック・ループ連結であり、前記バックパネル連結部材２の着脱可能な連結表面は、前記フック・ループ連結の「フック」部分であり、前記少なくとも１つのフィンガーグリップ部材３の着脱可能な連結表面は、前記フック・ループ連結の「ループ」部分である。
【０１１６】
この実施形態は、更に拡張されることができる。前記バックパネル連結部材２は、対象の個人用タブレット型装置のバックパネルの構造を収容するように様々な形状及びサイズを有する複数のマットから構成されており、各マットは前記フック・ループ連結の「フック」部分として機能することができる。
【０１１７】
この実施形態は、更に拡張されることができる。前記少なくとも１つのフィンガーグリップ部材３は、ユーザの手６の１又は複数の指に嵌まるように成してある少なくとも１つの環状の穴４を有し、前記少なくとも１つの環状の穴４は、少なくとも１つの環状の穴４の長手軸が前記個人用タブレット型装置５の略平坦な裏面に略平行であるように設けられ、嵌まることによって、ユーザが、意識的に前記個人用タブレット型装置５を把持する必要なしに、前記個人用タブレット型装置５を確実に保持することを可能にする。
【０１１８】
この実施形態は、更に拡張されることができる。各環状の穴４は、ユーザの１本の指６のみを受け入れるように成してある。
【０１１９】
この実施形態は、更に拡張されることができる。前記少なくとも１つのフィンガーグリップ部材３は、ユーザの指６に調節可能に合わせられるように成してある少なくとも１つの環状の穴４を有する。この実施形態の更なる変形例において、前記少なくとも１つのフィンガーグリップ部材３の環状の穴４は、材料ストラップ４Ａによって画定され、前記材料ストラップ４Ａは前記材料ストラップ４Ａにあるポイントで前記フィンガーグリップ部材３に固定して連結され、前記材料ストラップ４Ａは、一側にフック・ループ連結の「フック」部分を有し、他側にフック・ループ連結の「ループ」部分を有している。前記材料ストラップ４Ａの「ループ」部分の一部を前記材料ストラップ４Ａの「フック」部分の一部に着脱可能に連結することにより、前記材料ストラップ４Ａは、サイズが可変な穴４に形成され得る。
【０１２０】
この実施形態は、更に拡張されることができる。前記少なくとも１つの環状の穴４は、弾性材料から略構成される。
【０１２１】
この実施形態は、更に拡張されることができる。前記個人用タブレット型装置５は、電子リーダー、携帯電話、タブレットコンピュータ、パーソナルデータアシスタント及びクリップボードからなる群から選択される。
【０１２２】
この実施形態は、更に拡張されることができる。前記個人用タブレット型装置５は、保護カバー内に少なくとも部分的に包まれており、前記保護カバーは前記個人用タブレット型装置５の裏面の略平坦な部分を包んでいる。他の変形例では、前記保護カバーは、プラスチック、ゴム、及びシリコーンからなる群から選択される材料から略構成されているが、他の適切な弾性材料を用いることもできる。
【０１２３】
この実施形態は、更に拡張されることができる。個人用タブレット型装置５を略包むように成してある保護カバーの構造に組み込まれることにより、前記バックパネル連結部材２は、前記個人用タブレット型装置５の略平坦な裏面に取り付けられるように構成される。
【０１２４】
第１０実施形態：保持が強化された個人用タブレット型装置の使用方法
この実施形態は一般的に、保持が強化された個人用手持ち式タブレット型装置の使用方法に関する。前記保持が強化された個人用手持ち式タブレット型装置は、ユーザが個人用手持ち式タブレット型装置を容易に且つ確実に保持することが可能になるとともに、ユーザの手の疲労及び不快感を最小限度に抑えるように設計されている。前記個人用手持ち式タブレット型装置は、例えば電子リーダー（例えば、Ａｍａｚｏｎ  Ｋｉｎｄｌｅ（登録商標）、Ｂａｒｎｅｓ＆Ｎｏｂｌｅ  Ｎｏｏｋ（登録商標）及びＳｏｎｙ  ｅＲｅａｄｅｒ（登録商標））、タブレットコンピュータ装置（例えば、Ａｐｐｌｅ  ｉＰａｄ（登録商標）、Ｇｏｏｇｌｅ  Ａｎｄｒｏｉｄ（登録商標）及び拡大している市場での様々な他の装置）、携帯電話又は一般的なクリップボードである。
【０１２５】
図１−図７を参照すると、この実施形態は、保持が強化された個人用タブレット型装置１のユーザの手６における使用方法に関する。前記方法は、
・個人用タブレット型装置をユーザの手に確実に保持させるための上述した第８の実施形態に係る装置を備えた個人用タブレット型装置を準備するステップと、
・ユーザの手６の少なくとも１本の指を、前記少なくとも１つのフィンガーグリップ部材３に設けられた前記少なくとも１つの環状の穴４に挿入するステップと、
・ユーザの対向している親指で前記個人用タブレット型装置５を把持する必要なしに、前記個人用タブレット型装置５を保持するステップと
を有する。
【０１２６】
この実施形態は、ユーザの好みに応じて前記バックパネル連結部材２の配置を調整するステップを更に有するように拡張されることができる。
【０１２７】
この実施形態は、更に拡張されることができる。ユーザの手６の少なくとも１本の指を挿入する前記ステップは、第１のフィンガーグリップ部材３に挿入されるようにユーザの右手に適用され、第２のフィンガーグリップ部材３に挿入されるようにユーザの左手６に適用される。
【０１２８】
この実施形態は、指を挿入する前記ステップの前に、ユーザの好み及び快適さに応じて前記バックパネル連結部材２上の前記少なくとも１つのフィンガーグリップ部材３の位置を調整するステップを更に有するように拡張されることができる。
【０１２９】
この実施形態は、前記少なくとも１つのフィンガーグリップ部材３の環状の穴４のユーザの少なくとも１本の指６への適合性を調整するステップを更に有するように拡張されることができる。
【０１３０】
この実施形態は、更に拡張されることができる。前記個人用タブレット型装置５は、電子リーダー、携帯電話、タブレットコンピュータ、パーソナルデータアシスタント及びクリップボードからなる群から選択される。
【０１３１】
代替可能な実施形態及びその他の変形例
本明細書に記載されている及び／又は添付の図面に示されている様々な実施形態及びその変形例は、単に例示であり、本発明の開示範囲を限定するものではない。本発明の様々な変形例は、本開示を考慮すると当業者にとって自明であると理解されるべきである。
【０１３２】
従って、当業者は、本発明に対する多くの自明な変形及び改良を容易に考案することができ、変形及び改良の全てが本明細書の記載及び図面の範囲内に含まれるものとする。
【図１】
2014517942.tif 000003
【図２】
2014517942.tif 000004
【図３】
2014517942.tif 000005
【図４】
2014517942.tif 000006
【図５】
2014517942.tif 000007
【図６】
2014517942.tif 000008
【図７】
2014517942.tif 000009
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
その裏面に略平坦な部分を有する個人用タブレット型装置を、ユーザの手に確実に保持させるための装置であって、
前記個人用タブレット型装置の略平坦な裏面に取り付けられるように構成されているバックパネル連結部材と、
前記バックパネル連結部材に着脱可能に連結されるように構成されている少なくとも１つのフィンガーグリップ部材と
を備えており、
前記少なくとも１つのフィンガーグリップ部材は、前記バックパネル連結部材に着脱可能に連結されるように成してある基部を有しており、
前記少なくとも１つのフィンガーグリップ部材は、可撓性且つ弾性がある材料から構成されている４つの指受入穴を有しており、前記指受入穴は、前記基部の前記バックパネル連結部材への連結表面の反対側で、前記バックパネル連結部材に着脱可能に連結するように成してある前記基部に前記可撓性且つ弾性がある材料の一部を、間隔をあけて確実に取り付けることによって形成されており、
前記可撓性且つ弾性がある材料を前記間隔をあけて確実に取り付けることにより、略正弦波パターンが略形成され、前記バックパネル連結部材に着脱可能に連結されるように成してある前記基部に沿って挿入されたユーザの指の圧力が分配され、
前記フィンガーグリップ部材の４つの指受入穴は、各指受入穴の長手軸が前記個人用タブレット型装置の前記略平坦な裏面に略平行であるように設けられており、
前記フィンガーグリップ部材の４つの指受入穴は、互いに平行に配列されており、
前記フィンガーグリップ部材の４つの指受入穴は夫々、ユーザの手の１又は複数の指に嵌まるように成してあり、
前記少なくとも１つのフィンガーグリップ部材は、前記個人用タブレット型装置の略平坦な裏面に関するユーザ指定の方向に、前記バックパネル連結部材に着脱可能に連結されることができ、
ユーザの手の指に嵌まることによって、ユーザが、意識的に前記個人用タブレット型装置を把持する必要なしに、前記個人用タブレット型装置を確実に保持することを可能にすることを特徴とする装置。
【請求項２】
前記バックパネル連結部材と前記少なくとも１つのフィンガーグリップ部材との着脱可能な連結は、フック・ループ連結、機械的なスナップ連結、及び磁気連結からなる群から選択されることを特徴とする請求項１に記載の装置。
【請求項３】
前記バックパネル連結部材と前記少なくとも１つのフィンガーグリップ部材との着脱可能な連結は、フック・ループ連結であり、
前記バックパネル連結部材の着脱可能な連結表面は、前記フック・ループ連結のループ部分であり、
前記少なくとも１つのフィンガーグリップ部材の着脱可能な連結表面は、前記フック・ループ連結のフック部分であることを特徴とする請求項２に記載の装置。
【請求項４】
前記バックパネル連結部材は、前記フック・ループ連結のループ部分として機能することができる複数のマットから構成されていることを特徴とする請求項３に記載の装置。
【請求項５】
前記バックパネル連結部材と前記少なくとも１つのフィンガーグリップ部材との着脱可能な連結は、フック・ループ連結であり、
前記バックパネル連結部材の着脱可能な連結表面は、前記フック・ループ連結のフック部分であり、
前記少なくとも１つのフィンガーグリップ部材の着脱可能な連結表面は、前記フック・ループ連結のループ部分であることを特徴とする請求項２に記載の装置。
【請求項６】
前記バックパネル連結部材は、前記フック・ループ連結のフック部分として機能することができる複数のマットから構成されていることを特徴とする請求項５に記載の装置。
【請求項７】
環状の前記指受入穴は、ユーザの１本の指のみを受け入れるように成してあることを特徴とする請求項１に記載の装置。
【請求項８】
前記少なくとも１つのフィンガーグリップ部材は、ユーザの指に調節可能に合わせられるように成してある少なくとも１つの指受入穴を有していることを特徴とする請求項１に記載の装置。
【請求項９】
前記少なくとも１つの指受入穴は、材料ストラップによって画定され、前記材料ストラップは、該材料ストラップにあるポイントで前記フィンガーグリップ部材に固定して連結され、
前記材料ストラップは、一側にフック・ループ連結のフック部分を有しており、他側にフック・ループ連結のループ部分を有しており、
前記材料ストラップのループ部分の一部を前記材料ストラップのフック部分の一部に着脱可能に連結することにより、前記材料ストラップは、サイズが可変な指受入穴に形成され得ることを特徴とする請求項８に記載の装置。
【請求項１０】
ユーザが、電子リーダー、携帯電話、タブレットコンピュータ、パーソナルデータアシスタント及びクリップボードからなる群から選択される個人用タブレット型装置を保持するように成してあることを特徴とする請求項１に記載の装置。
【請求項１１】
ユーザが、保護カバー内に少なくとも部分的に包まれた個人用タブレット型装置を保持するように成してあることを特徴とする請求項１に記載の装置。
【請求項１２】
前記保護カバーは、プラスチック、ゴム、及びシリコーンからなる群から選択される材料から略構成されていることを特徴とする請求項１１に記載の装置。
【請求項１３】
前記個人用タブレット型装置を略包むように成してある保護カバーの構造に組み込まれることにより、前記バックパネル連結部材は、前記個人用タブレット型装置の略平坦な裏面に取り付けられるように構成されていることを特徴とする請求項１に記載の装置。
【手続補正書】
【提出日】平成26年4月10日(2014.4.10)
【手続補正１】
【補正対象書類名】特許請求の範囲
【補正対象項目名】請求項１
【補正方法】変更
【補正の内容】
【請求項１】
その裏面に略平坦な部分を有する個人用タブレット型装置を、ユーザの手に確実に保持させるための装置であって、
前記個人用タブレット型装置の略平坦な裏面に取り付けられるように構成されているバックパネル連結部材と、
前記バックパネル連結部材に着脱可能に連結されるように構成されている少なくとも１つのフィンガーグリップ部材と
を備えており、
前記少なくとも１つのフィンガーグリップ部材は、前記バックパネル連結部材に着脱可能に連結されるように成してある基部を有しており、
前記少なくとも１つのフィンガーグリップ部材は、可撓性且つ弾性がある材料から構成されている複数の指受入穴を有しており、前記指受入穴は、前記基部の前記バックパネル連結部材への連結表面の反対側で、前記バックパネル連結部材に着脱可能に連結するように成してある前記基部に前記可撓性且つ弾性がある材料の一部を、間隔をあけて確実に取り付けることによって形成されており、
前記可撓性且つ弾性がある材料を前記間隔をあけて確実に取り付けることにより、正弦波パターンが略形成され、前記バックパネル連結部材に着脱可能に連結されるように成してある前記基部に沿って挿入されたユーザの指の圧力が分配され、
前記フィンガーグリップ部材の複数の指受入穴は、各指受入穴の長手軸が前記個人用タブレット型装置の前記略平坦な裏面に略平行であるように設けられており、
前記フィンガーグリップ部材の複数の指受入穴は、互いに平行に配列されており、
前記フィンガーグリップ部材の複数の指受入穴は夫々、ユーザの手の１又は複数の指に嵌まるように成してあり、
前記少なくとも１つのフィンガーグリップ部材は、前記個人用タブレット型装置の略平坦な裏面に関する任意の方向に、前記バックパネル連結部材に着脱可能に連結されることができ、
ユーザの手の指に嵌まることによって、ユーザが、意識的に前記個人用タブレット型装置を把持する必要なしに、前記個人用タブレット型装置を確実に保持することを可能にすることを特徴とする装置。
【手続補正２】
【補正対象書類名】特許請求の範囲
【補正対象項目名】請求項７
【補正方法】変更
【補正の内容】
【請求項７】
前記指受入穴は、ユーザの１本の指のみを受け入れるように成してあることを特徴とする請求項１に記載の装置。
【国際調査報告】
2014517942.tif 000010
2014517942.tif 000011